(57)【要約】【課題】ランド及びグルーブにデータを記録する光ディスクにおいて、アドレス情報を効率的に記録する。【解決手段】光ディスク１０のグルーブ及びランドにウォブルが形成され、アドレス情報が埋め込まれる。ウォブルはグルーブにおいて同相ウォブルとなるように形成される。グルーブに挟まれたランドのアドレスは、グルーブのウォブルから検出する。ランドのウォブルが同相ウォブルではなく逆相ウォブルである場合、ウォブルのグレーコードから２進アドレスに変換する際に０となるように置き換える。これにより、逆相ウォブルであってもランドのアドレス情報を隣接する内周側のグルーブのアドレス情報と一致させてランドのアドレス情報を確定する。【選択図】図１
2005038565.tif 000002
【特許請求の範囲】
【請求項１】
グルーブ及びランドをウォブルさせることでアドレス情報を埋め込み、グルーブ及びランドにデータを保持するディスクであって、
前記アドレス情報は、連続する２つのアドレス値の符号間距離が１となるグレーコードに変換されて前記ウォブルに埋め込まれ、
ランドのアドレス情報は、前記ランドを形成する内周側ウォブルと外周側ウォブルの位相が同一である同相ウォブル、並びに内周側ウォブルと外周側ウォブルの位相が反転した逆相ウォブルから規定される
ことを特徴とするディスク。
【請求項２】
グルーブ及びランドをウォブルさせることでアドレス情報を埋め込み、グルーブ及びランドにデータを保持するディスクであって、
前記アドレス情報は、連続する２つのアドレス値の符号間距離が１となるグレーコードに変換されて前記ウォブルに埋め込まれ、
グルーブのアドレス情報は、前記グルーブを形成する内周側ウォブルと外周側ウォブルの位相が同一である同相ウォブル、並びに内周側ウォブルと外周側ウォブルの位相が反転した逆相ウォブルから規定される
ことを特徴とするディスク。
【請求項３】
グルーブ及びランドをウォブルさせることで内周側から外周側に向けて番号が順次増加するトラックアドレス情報を埋め込み、グルーブ及びランドにデータを保持するディスクであって、
前記トラックアドレス情報は、連続する２つのトラック番号の符号間距離が１となるグレーコードにバイナリデータが変換されて前記ウォブルに埋め込まれ、
ランドのトラックアドレス情報は、前記ランドを形成する内周側ウォブルと外周側ウォブルの位相が同一である同相ウォブルについてはそのウォブルが示す値として規定され、内周側ウォブルと外周側ウォブルの位相が反転した逆相ウォブルについては前記バイナリデータにおける０として規定される
ことを特徴とするディスク。
【請求項４】
グルーブ及びランドをウォブルさせることで内周側から外周側に向けて番号が順次増加するトラックアドレス情報を埋め込み、グルーブ及びランドにデータを保持するディスクであって、
前記トラックアドレス情報は、連続する２つのトラック番号の符号間距離が１となるグレーコードにバイナリデータが変換されて前記ウォブルに埋め込まれ、
グルーブのトラックアドレス情報は、前記グルーブを形成する内周側ウォブルと外周側ウォブルの位相が同一である同相ウォブルについてはそのウォブルが示す値として規定され、内周側ウォブルと外周側ウォブルの位相が反転した逆相ウォブルについては前記バイナリデータにおける１として規定される
ことを特徴とするディスク。
【請求項５】
グルーブ及びランドをウォブルさせることでアドレス情報が埋め込まれ、かつ、前記アドレス情報は連続する２つのアドレス値の符号間距離が１となるグレーコードに変換されて前記ウォブルに埋め込まれた光ディスクのグルーブ及びランドにデータの記録あるいは再生を行う光ディスク装置であって、
前記光ディスクにレーザ光を照射しその反射光を受光してウォブル信号を生成するウォブル信号生成手段と、
前記ウォブル信号から前記アドレス情報を抽出する手段であって、ランドのアドレス情報を、前記ランドを形成する内周側ウォブルと外周側ウォブルの位相が同一である同相ウォブル、並びに内周側ウォブルと外周側ウォブルの位相が反転した逆相ウォブルから抽出するアドレス情報抽出手段と、
を有することを特徴とする光ディスク装置。
【請求項６】
請求項５記載の装置において、
前記アドレス情報抽出手段は、
前記グレーコードをバイナリデータのアドレス値に逆変換する逆変換手段
を有し、前記逆変換手段は、前記同相ウォブルに対応するビットでは前記グレーコードをそのままバイナリデータ値に逆変換し、前記逆相ウォブルに対応するビットでは前記グレーコードを０に固定したバイナリデータ値に逆変換することでランドのアドレス情報を抽出する
ことを特徴とする光ディスク装置。
【請求項７】
請求項６記載の装置において、
前記アドレス情報抽出手段は、
前記ウォブル信号から前記逆相ウォブルに対応するビットを検出する検出手段
を有し、前記逆変換手段は、前記検出手段からの検出信号に基づいて前記グレーコードを前記バイナリデータに逆変換する
ことを特徴とする光ディスク装置。
【請求項８】
請求項６記載の装置において、
前記逆変換手段は、
前記グレーコードの最上位ビットをそのまま出力するとともに、前記グレーコードの最上位ビットより下位のビットについては、そのビットと１つ上位のバイナリデータのビットとの排他的論理和を出力するゲート回路と、
前記ゲート回路への入力信号を切り換えるスイッチ手段と、
を有し、前記スイッチ手段は、前記同相ウォブルに対応するビットでは前記グレーコードのビットが前記ゲート回路に入力するように切替わり、前記逆相ウォブルに対応するビットでは前記グレーコードのビットを遮断し前記１つ上位のバイナリデータのビットがともに前記ゲート回路に入力するように切り替わる
ことを特徴とする光ディスク装置。
【請求項９】
請求項６記載の装置において、さらに、
前記逆変換手段から出力されたバイナリデータのうち、前記逆相ウォブルに対応するビットより下位のビットが全て１であるか否かを検出する手段
を有することを特徴とする光ディスク装置。
【請求項１０】
請求項５記載の装置において、さらに、
前記アドレス情報抽出手段で抽出したアドレス情報を、前記光ディスクに予め形成され読み出されたランド専用のアドレス情報と比較する手段
を有することを特徴とする光ディスク装置。
【請求項１１】
グルーブ及びランドをウォブルさせることでアドレス情報が埋め込まれ、かつ、前記アドレス情報は連続する２つのアドレス値の符号間距離が１となるグレーコードに変換されて前記ウォブルに埋め込まれた光ディスクのグルーブ及びランドにデータの記録あるいは再生を行う光ディスク装置であって、
前記光ディスクにレーザ光を照射しその反射光を受光してウォブル信号を生成するウォブル信号生成手段と、
前記ウォブル信号から前記アドレス情報を抽出する手段であって、グルーブのアドレス情報を、前記グルーブを形成する内周側ウォブルと外周側ウォブルの位相が同一である同相ウォブル、並びに内周側ウォブルと外周側ウォブルの位相が反転した逆相ウォブルから抽出するアドレス情報抽出手段と、
を有することを特徴とする光ディスク装置。
【請求項１２】
請求項１１記載の装置において、
前記アドレス情報抽出手段は、
前記グレーコードをバイナリデータのアドレス値に逆変換する逆変換手段
を有し、前記逆変換手段は、前記同相ウォブルに対応するビットでは前記グレーコードをそのままバイナリデータ値に逆変換し、前記逆相ウォブルに対応するビットでは前記グレーコードを１に固定したバイナリデータ値に逆変換することでグルーブのアドレス情報を抽出する
ことを特徴とする光ディスク装置。
【請求項１３】
請求項１２記載の装置において、
前記アドレス情報抽出手段は、
前記ウォブル信号から前記逆相ウォブルに対応するビットを検出する検出手段
を有し、前記逆変換手段は、前記検出手段からの検出信号に基づいて前記グレーコードを前記バイナリデータに逆変換する
ことを特徴とする光ディスク装置。
【請求項１４】
請求項１２記載の装置において、
前記逆変換手段は、
前記グレーコードの最上位ビットをそのまま出力するとともに、前記グレーコードの最上位ビットより下位のビットについては、そのビットと、１つ上位のバイナリデータのビットの反転値との排他的論理和を出力するゲート回路と、
前記ゲート回路への入力信号を切り換えるスイッチ手段と、
を有し、前記スイッチ手段は、前記同相ウォブルに対応するビットでは前記グレーコードのビットが前記ゲート回路に入力するように切り替わり、前記逆相ウォブルに対応するビットでは前記グレーコードにビットを遮断し前記１つ上位のバイナリデータのビットの反転値がともに前記ゲート回路に入力するように切り替わる
ことを特徴とする光ディスク装置。
【請求項１５】
請求項１２記載の装置において、さらに、
前記逆変換手段から出力されたバイナリデータのうち、前記逆相ウォブルに対応するビットより下位のビットが全て１であるか否かを検出する手段
を有することを特徴とする光ディスク装置。
【請求項１６】
請求項１１記載の装置において、さらに、
前記アドレス情報抽出手段で抽出したアドレス情報を、前記光ディスクに予め形成された読み出されたグルーブ専用のアドレス情報と比較する手段
を有することを特徴とする光ディスク装置。
【請求項１７】
請求項５記載の装置において、
前記アドレス情報抽出手段は、
前記グレーコードをバイナリデータのアドレス値に逆変換する逆変換手段
を有し、前記逆変換手段は、前記同相ウォブルに対応するビットでは前記グレーコードをそのままバイナリデータ値に逆変換し、前記逆相ウォブルに対応するビットでは前記グレーコードを１に固定したバイナリデータ値に逆変換することでランドのアドレス情報を抽出する
ことを特徴とする光ディスク装置。
【請求項１８】
請求項１１記載の装置において、
前記アドレス情報抽出手段は、
前記グレーコードをバイナリデータのアドレス値に逆変換する逆変換手段
を有し、前記逆変換手段は、前記同相ウォブルに対応するビットでは前記グレーコードをそのままバイナリデータ値に逆変換し、前記逆相ウォブルに対応するビットでは前記グレーコードを０に固定したバイナリデータ値に逆変換することでグルーブのアドレス情報を抽出する
ことを特徴とする光ディスク装置。
【請求項１９】
請求項６、１７のいずれかに記載の装置において、
前記アドレス情報抽出手段は、
前記ランドにおいて時間的に先行するセグメントの確定アドレスに基づいて次のセグメントの前記ウォブル信号の前記逆相ウォブルに対応するビットを予測する手段
を有し、前記逆変換手段は、予測されたビットに基づき前記グレーコードをバイナリデータに逆変換する
ことを特徴とする光ディスク装置。
【請求項２０】
請求項１２、１８のいずれかに記載の装置において、
前記アドレス情報抽出手段は、
前記グルーブにおいて時間的に先行するセグメントの確定アドレスに基づいて次のセグメントの前記ウォブル信号の前記逆相ウォブルに対応するビットを予測する手段
を有し、前記逆変換手段は、予測されたビットに基づき前記グレーコードをバイナリデータに逆変換する
ことを特徴とする光ディスク装置。
【請求項２１】
請求項１９、２０のいずれかに記載の装置において、
前記アドレス情報抽出手段は、さらに、
前記次のセグメントの前記ウォブル信号から前記逆相ウォブルに対応するビットを検出する手段と、
予測されたビットを検出されたビットと比較する手段
を有することを特徴とする光ディスク装置。
【請求項２２】
グルーブ及びランドをウォブルさせることでアドレス情報が埋め込まれ、かつ、前記アドレス情報は連続する２つのアドレス値の符号間距離が１となるグレーコードに変換されて前記ウォブルに埋め込まれた光ディスクのグルーブ及びランドにデータの記録あるいは再生を行う光ディスク装置であって、
前記光ディスクにレーザ光を照射しその反射光を受光してウォブル信号を生成するウォブル信号生成手段と、
前記ウォブル信号から前記アドレス情報を抽出する手段であって、ランドのアドレス情報を、前記ランドに隣接あるいは所定トラック数だけ離間するグルーブを形成する同相ウォブルから予測するアドレス情報抽出手段と、
を有することを特徴とする光ディスク装置。
【請求項２３】
請求項２２記載の装置において、
前記アドレス情報抽出手段は、前記ランドのアドレス情報を、前記ランドに隣接する内周側グルーブを形成する同相ウォブルが示すトラックアドレスと同一トラックアドレスと予測することを特徴とする光ディスク装置。
【請求項２４】
請求項２２記載の装置において、
前記アドレス情報抽出手段は、前記ランドのアドレス情報を、前記ランドに隣接する外周側グルーブを形成する同相ウォブルが示すトラックアドレスより１だけ小さいトラックアドレスと予測することを特徴とする光ディスク装置。
【請求項２５】
請求項２２〜２４のいずれかに記載の装置において、さらに、
前記ランドのアドレス情報を、前記ランドを形成する内周側ウォブルと外周側ウォブルの位相が同一である同相ウォブル、並びに内周側ウォブルと外周側ウォブルの位相が反転した逆相ウォブルから抽出する第２のアドレス情報抽出手段と、
予測されたアドレス情報を、前記第２のアドレス情報抽出手段で抽出されたアドレス情報と比較する手段
を有することを特徴とする光ディスク装置。
【請求項２６】
グルーブ及びランドをウォブルさせることでアドレス情報が埋め込まれ、かつ、前記アドレス情報は連続する２つのアドレス値の符号間距離が１となるグレーコードに変換されて前記ウォブルに埋め込まれた光ディスクのグルーブ及びランドにデータの記録あるいは再生を行う光ディスク装置であって、
前記光ディスクにレーザ光を照射しその反射光を受光してウォブル信号を生成するウォブル信号生成手段と、
前記ウォブル信号から前記アドレス情報を抽出する手段であって、グルーブのアドレス情報を、前記グルーブに隣接あるいは所定トラック数だけ離間するランドを形成する同相ウォブルから予測するアドレス情報抽出手段と、
を有することを特徴とする光ディスク装置。
【請求項２７】
請求項２６記載の装置において、
前記アドレス情報抽出手段は、前記グルーブのアドレス情報を、前記グルーブに隣接する内周側ランドを形成する同相ウォブルが示すトラックアドレスより１だけ大きいトラックアドレスと予測することを特徴とする光ディスク装置。
【請求項２８】
請求項２６記載の装置において、
前記アドレス情報抽出手段は、前記グルーブのアドレス情報を、前記グルーブに隣接する外周側ランドを形成する同相ウォブルが示すトラックアドレスと同一トラックアドレスと予測することを特徴とする光ディスク装置。
【請求項２９】
請求項２６〜２８のいずれかに記載の装置において、さらに、
前記グルーブのアドレス情報を、前記グルーブを形成する内周側ウォブルと外周側ウォブルの位相が同一である同相ウォブル、並びに内周側ウォブルと外周側ウォブルの位相が反転した逆相ウォブルから抽出する第２のアドレス情報抽出手段と、
予測されたアドレス情報を、前記第２のアドレス情報抽出手段で抽出されたアドレス情報と比較する手段
を有することを特徴とする光ディスク装置。
【請求項３０】
グルーブ及びランドをウォブルさせることでアドレス情報が埋め込まれ、かつ、前記アドレス情報は連続する２つのアドレス値の符号間距離が１となるグレーコードに変換されて前記ウォブルに埋め込まれた光ディスクのグルーブ及びランドにデータの記録あるいは再生を行う光ディスク装置であって、
ランドのアドレス情報を、前記ランドを形成する内周側ウォブルと外周側ウォブルの位相が同一である同相ウォブル、並びに内周側ウォブルと外周側ウォブルの位相が反転した逆相ウォブルから抽出するアドレス情報抽出手段
を有し、前記アドレス情報抽出手段は、
前記光ディスクに予め形成されたランド専用のアドレス情報から確定したバイナリデータのアドレス値から連続する次のバイナリデータのアドレス値を演算し、確定したバイナリデータのアドレス値と演算して得られた次のバイナリデータのアドレス値から前記逆相ウォブルに対応するビットを検出する検出手段と、
前記検出手段からの検出信号に基づき、前記同相ウォブルに対応するビットでは前記グレーコードをそのままバイナリデータ値に逆変換し、前記逆相ウォブルに対応するビットでは前記グレーコードを０に固定したバイナリデータ値に逆変換することでランドのアドレス情報を抽出する逆変換手段と、
を有することを特徴とする光ディスク装置。
【請求項３１】
請求項３０記載の装置において、
前記検出手段は、
前記確定したバイナリアドレスのビットが入力されるインバータと、
前記インバータからの反転出力及び演算して得られた次のバイナリアドレスの同位置ビットが入力され、これらの論理積を演算するゲート回路と、
を有することを特徴とする光ディスク装置。
【請求項３２】
グルーブ及びランドをウォブルさせることでアドレス情報が埋め込まれ、かつ、前記アドレス情報は連続する２つのアドレス値の符号間距離が１となるグレーコードに変換されて前記ウォブルに埋め込まれた光ディスクのグルーブ及びランドにデータの記録あるいは再生を行う光ディスク装置であって、
グルーブのアドレス情報を、前記グルーブを形成する内周側ウォブルと外周側ウォブルの位相が同一である同相ウォブル、並びに内周側ウォブルと外周側ウォブルの位相が反転した逆相ウォブルから抽出するアドレス情報抽出手段
を有し、前記アドレス情報抽出手段は、
前記光ディスクに予め形成されたグルーブ専用のアドレス情報から確定したバイナリデータのアドレス値から連続する１つ前のバイナリデータのアドレス値を演算し、確定したバイナリデータのアドレス値と演算して得られた１つ前のバイナリデータのアドレス値から前記逆相ウォブルに対応するビットを検出する検出手段と、
前記検出手段からの検出信号に基づき、前記同相ウォブルに対応するビットでは前記グレーコードをそのままバイナリデータ値に逆変換し、前記逆相ウォブルに対応するビットでは前記グレーコードを１に固定したバイナリデータ値に逆変換することでグルーブのアドレス情報を抽出する逆変換手段と、
を有することを特徴とする光ディスク装置。
【請求項３３】
請求項３２記載の装置において、
前記検出手段は、
前記演算により得られた１つ前のバイナリアドレスのビットが入力されるインバータと、
前記インバータからの反転出力及び確定したバイナリアドレスの同位置ビットが入力され、これらの論理積を演算するゲート回路と、
を有することを特徴とする光ディスク装置。
【請求項３４】
グルーブ及びランドをウォブルさせることでアドレス情報が埋め込まれ、かつ、前記アドレス情報は連続する２つのアドレス値の符号間距離が１となるグレーコードに変換されて前記ウォブルに埋め込まれた光ディスクのグルーブ及びランドにデータの記録あるいは再生を行う光ディスク装置であって、
ランドのアドレス情報を、前記ランドを形成する内周側ウォブルと外周側ウォブルの位相が同一である同相ウォブル、並びに内周側ウォブルと外周側ウォブルの位相が反転した逆相ウォブルから抽出するアドレス情報抽出手段
を有し、前記アドレス情報抽出手段は、
前記光ディスクに予め形成されたランド専用のアドレス情報から確定したバイナリデータのアドレス値から連続する１つ前のバイナリデータのアドレス値を演算し、確定したバイナリデータのアドレス値と演算して得られた１つ前のバイナリデータのアドレス値から前記逆相ウォブルに対応するビットを検出する検出手段と、
前記検出手段からの検出信号に基づき、前記同相ウォブルに対応するビットでは前記グレーコードをそのままバイナリデータ値に逆変換し、前記逆相ウォブルに対応するビットでは前記グレーコードを１に固定したバイナリデータ値に逆変換することでランドのアドレス情報を抽出する逆変換手段と、
を有することを特徴とする光ディスク装置。
【請求項３５】
グルーブ及びランドをウォブルさせることでアドレス情報が埋め込まれ、かつ、前記アドレス情報は連続する２つのアドレス値の符号間距離が１となるグレーコードに変換されて前記ウォブルに埋め込まれた光ディスクのグルーブ及びランドにデータの記録あるいは再生を行う光ディスク装置であって、
グルーブのアドレス情報を、前記グルーブを形成する内周側ウォブルと外周側ウォブルの位相が同一である同相ウォブル、並びに内周側ウォブルと外周側ウォブルの位相が反転した逆相ウォブルから抽出するアドレス情報抽出手段
を有し、前記アドレス情報抽出手段は、
前記光ディスクに予め形成されたグルーブ専用のアドレス情報から確定したバイナリデータのアドレス値から連続する次のバイナリデータのアドレス値を演算し、確定したバイナリデータのアドレス値と演算して得られた次のバイナリデータのアドレス値から前記逆相ウォブルに対応するビットを検出する検出手段と、
前記検出手段からの検出信号に基づき、前記同相ウォブルに対応するビットでは前記グレーコードをそのままバイナリデータ値に逆変換し、前記逆相ウォブルに対応するビットでは前記グレーコードを０に固定したバイナリデータ値に逆変換することでグルーブのアドレス情報を抽出する逆変換手段と、
を有することを特徴とする光ディスク装置。
【請求項３６】
請求項６記載の装置において、
前記逆変換手段は、
前記グレーコードの最上位ビットをそのまま出力するとともに、前記グレーコードの最上位ビットより下位のビットについては、そのビットと１つ上位のバイナリデータのビットとの排他的論理和を出力するゲート回路と、
前記ゲート回路からの出力を切り換えるスイッチ手段と、
を有し、前記スイッチ手段は、前記同相ウォブルに対応するビットでは前記ゲート回路の出力をそのまま出力し、前記逆相ウォブルに対応するビットでは前記ゲート回路の出力を０とするように切り替わる
ことを特徴とする光ディスク装置。
【請求項３７】
請求項１２記載の装置において、
前記逆変換手段は、
前記グレーコードの最上位ビットをそのまま出力するとともに、前記グレーコードの最上位ビットより下位のビットについては、そのビットと１つ上位のバイナリデータのビットとの排他的論理和を出力するゲート回路と、
前記ゲート回路からの出力を切り換えるスイッチ手段と、
を有し、前記スイッチ手段は、前記同相ウォブルに対応するビットでは前記ゲート回路の出力をそのまま出力し、前記逆相ウォブルに対応するビットでは前記ゲート回路の出力を１とするように切り替わる
ことを特徴とする光ディスク装置。
【発明の詳細な説明】
【技術分野】
【０００１】
本発明は光ディスク及び光ディスク装置に関し、特にグルーブ及びランドを用いてデータの記録／再生を行う高密度の光ディスク及び光ディスク装置に関する。
【背景技術】
【０００２】
従来より、グルーブのみならず、グルーブとランドのいずれにもデータを記録することで高記録密度を達成する光ディスクが知られている。一方、このようにグルーブとランドのいずれにもデータを記録する場合、グルーブとランドのいずれにおいてもアドレスを正確に検出する必要がある。ＤＶＤ−ＲＡＭにおいては、ＣＡＰＡ（Complementary Allocated Pit Address）と呼ばれる方式で特殊な信号をセクタ毎にデータ記録とは時間的に独立して挿入し、この信号を再生することによりアドレスを検出している。具体的には、各セクタの先頭にデータ領域とは独立したアドレス領域（ヘッダ部）を有し、このヘッダ部にデータ領域のグルーブまたはランドに対し、左右にオフセットしてＣＡＰＡ信号を複数挿入しておき、グルーブに対して記録／再生する場合、ランドに対して記録／再生する場合とで異なるＣＡＰＡ信号が検出されることを利用してグルーブ及びランドでアドレスを検出している。
【０００３】
しかしながら、データ部と時間的に独立してアドレス部を有しているため、その分だけ光ディスクのデータ容量が小さくなる問題がある。また、グルーブとＣＡＰＡ信号は一直線上に配列していないので、光ディスクの製造が比較的困難である問題もある。さらに、記録／再生時においてデータ部とヘッダ部でサーボ方式が異なる、あるいはサーボ等のパラメータ最適点が異なる問題もある。
【０００４】
そこで、グルーブのアドレスを記憶するためのウォブルを用いてグルーブのみならずランドのアドレスも確定する技術が提案されている。
【０００５】
例えば、下記に示す従来技術では、グルーブを０度の位相で同相ウォブルさせた場合と１８０度の位相で同相ウォブルさせた場合とでそれぞれ０及び１のデータを記録してアドレス情報を埋め込む際に、２つの隣接グルーブで同相ウォブルとした場合でも２つのグルーブに挟まれたランドでは必ずしも同相ウォブルとならずアドレスを確定できないことに鑑み、アドレスを２つ用意し、いずれかのアドレスでランドのアドレスを確定する技術が記載されている。
【０００６】
図２１には、この従来技術に記載されたアドレスフォーマットが示されている。
【０００７】
アドレスには、領域アドレスとトラックアドレス（トラック番号）とがあり、同一方向に配置された各セグメントの領域アドレスは等しい。図２１においては、トラックアドレスのみが示されている。Ｇ１、Ｇ２、Ｇ３、・・はグルーブであり、Ｌ１、Ｌ２、Ｌ３、・・・はランドである。トラック番号の小さい方を内周側とし、内周から外周に向けてトラック番号が増大するものとする。Ｇ１におけるトラック番号はｎ＋１、Ｇ２におけるトラック番号はｎ＋２、Ｌ１におけるトラック番号はｎ＋１、Ｌ２におけるトラック番号はｎ＋２である。各グルーブには図２２に示されるようにウォブルが形成され、０度の同相ウォブルで「０」が記録され、１８０度の同相ウォブルで「１」が記録される。
【０００８】
Ｇ１、Ｌ１、Ｇ２に着目すると、本来であればＧ１、Ｇ２はトラック番号が異なるため、Ｇ１に形成されるウォブルとＧ２に形成されるウォブルは逆相となり、Ｇ１とＧ２に挟まれたＬ１ではＧ１のウォブルとＧ２のウォブルが互いに１８０度の位相をなすため逆相となり検出できない。そこで、Ａｄｄｒｅｓｓ１ではＧ１とＧ２で同一のトラック番号を付すことで、その間に挟まれたＬ１のウォブルを同相とし、トラック番号ｎ＋１を確定できるようにしている。なお、Ａｄｄｒｅｓｓ２では、Ｇ１にはｎ＋１、Ｇ２にはｎ＋２と本来のトラック番号を付しているため、その間のＬ１はアドレスを検出できず「ＮＧ」となる。
【０００９】
また、Ｇ２、Ｌ２、Ｇ３に着目すると、本来であればＧ２、Ｇ３はトラック番号が異なるため、Ｇ２に形成されるウォブルとＧ３に形成されるウォブルは逆相となり、Ｇ２とＧ３に挟まれたＬ２ではＧ２のウォブルとＧ３のウォブルが互いに１８０度の位相をなすため逆相となり検出できない。そこで、Ａｄｄｒｅｓｓ２ではＧ２とＧ３で同一のトラック番号を付すことで、その間に挟まれたＬ２のウォブルを同相とし、トラック番号ｎ＋２を確定できるようにしている。この場合、Ａｄｄｒｅｓｓ１ではＬ２のアドレスを検出できず「ＮＧ」となる。
【００１０】
なお、アドレスデータをウォブルとしてディスクに記録する場合、２進データ（バイナリデータ）をグレーコードに変換して記録する。ここに、グレーコードとは、隣接する２進データの間の符号間距離、すなわち反転ビット数を１にするものである。
【００１１】
図２３には、２進データをグレーコードに変換するためのグレーコード変換器２が示されており、図２４には、アドレスとグレーコードとの関係が示されている。グレーコード変換器２は、複数のＥＸ−ＯＲ（排他的論理和）ゲート１を含んで構成される。例えばアドレスが８ビットである場合、最下位ビットＬＳＢと次の下位ビットとのＥＸ−ＯＲが演算されてグレーコードの最下位ビットＬＳＢとなる。以下、同様にしてアドレスの隣接ビット同士のＥＸ−ＯＲが演算されてグレーコードに変換される。アドレスの最上位ビットＭＳＢはそのまま維持されてグレーコードとなる。排他的論理和では、２入力が同一であれば出力は０となり、２入力が異なれば出力は１となる。したがって、例えばアドレスの２進データ（バイナリデータ）が「００００００００」であればグレーコードは「００００００００」となり、２進データが「０００００００１」であればグレーコードは「０００００００１」、２進データが「００００００１０」であればグレーコードは「００００００１１」となる。図２４から分かるように、連続する２つのアドレス値の間のグレーコードの符号間距離は常に１である。
【００１２】
【特許文献１】特開平１０−３１２５４１号公報
【発明の開示】
【発明が解決しようとする課題】
【００１３】
このように、従来においてはＡｄｄｒｅｓｓ１及びＡｄｄｒｅｓｓ２の２つのアドレスを用いてランド及びグルーブのアドレスを検出しているが、２つのアドレスを予めディスクに形成するのは冗長であり、その分だけディスクのデータ記録密度が低下する。また、仮に２つのアドレスを用いたとしても、上記従来技術ではいずれか一方のアドレスのみが用いられており、冗長アドレスの有効活用が図られていない。
【００１４】
本発明の目的は、不要なアドレスデータを除去して一層の高密度記録化を図ることにある。また、冗長系アドレスデータを有効活用してアドレス検出の精度を上げることにある。
【課題を解決するための手段】
【００１５】
本発明は、グルーブ及びランドをウォブルさせることでアドレス情報を埋め込み、グルーブ及びランドにデータを保持するディスクであって、前記アドレス情報は、連続する２つのアドレス値の符号間距離が１となるグレーコードに変換されて前記ウォブルに埋め込まれ、ランドのアドレス情報は、前記ランドを形成する内周側ウォブルと外周側ウォブルの位相が同一である同相ウォブル、並びに内周側ウォブルと外周側ウォブルの位相が反転した逆相ウォブルから規定されることを特徴とする。
【００１６】
また、本発明は、グルーブ及びランドをウォブルさせることでアドレス情報を埋め込み、グルーブ及びランドにデータを保持するディスクであって、前記アドレス情報は、連続する２つのアドレス値の符号間距離が１となるグレーコードに変換されて前記ウォブルに埋め込まれ、グルーブのアドレス情報は、前記グルーブを形成する内周側ウォブルと外周側ウォブルの位相が同一である同相ウォブル、並びに内周側ウォブルと外周側ウォブルの位相が反転した逆相ウォブルから規定されることを特徴とする。
【００１７】
また、本発明は、グルーブ及びランドをウォブルさせることで内周側から外周側に向けて番号が順次増加するトラックアドレス情報を埋め込み、グルーブ及びランドにデータを保持するディスクであって、前記トラックアドレス情報は、連続する２つのトラック番号の符号間距離が１となるグレーコードにバイナリデータが変換されて前記ウォブルに埋め込まれ、ランドのトラックアドレス情報は、前記ランドを形成する内周側ウォブルと外周側ウォブルの位相が同一である同相ウォブルについてはそのウォブルが示す値として規定され、内周側ウォブルと外周側ウォブルの位相が反転した逆相ウォブルについては前記バイナリデータにおける０として規定されることを特徴とする。
【００１８】
また、本発明は、グルーブ及びランドをウォブルさせることで内周側から外周側に向けて番号が順次増加するトラックアドレス情報を埋め込み、グルーブ及びランドにデータを保持するディスクであって、前記トラックアドレス情報は、連続する２つのトラック番号の符号間距離が１となるグレーコードにバイナリデータが変換されて前記ウォブルに埋め込まれ、グルーブのトラックアドレス情報は、前記グルーブを形成する内周側ウォブルと外周側ウォブルの位相が同一である同相ウォブルについてはそのウォブルが示す値として規定され、内周側ウォブルと外周側ウォブルの位相が反転した逆相ウォブルについては前記バイナリデータにおける１として規定されることを特徴とする。
【００１９】
また、本発明は、グルーブ及びランドをウォブルさせることでアドレス情報が埋め込まれ、かつ、前記アドレス情報は連続する２つのアドレス値の符号間距離が１となるグレーコードに変換されて前記ウォブルに埋め込まれた光ディスクのグルーブ及びランドにデータの記録あるいは再生を行う光ディスク装置であって、前記光ディスクにレーザ光を照射しその反射光を受光してウォブル信号を生成するウォブル信号生成手段と、前記ウォブル信号から前記アドレス情報を抽出する手段であって、ランドのアドレス情報を、前記ランドを形成する内周側ウォブルと外周側ウォブルの位相が同一である同相ウォブル、並びに内周側ウォブルと外周側ウォブルの位相が反転した逆相ウォブルから抽出するアドレス情報抽出手段とを有することを特徴とする。
【００２０】
ここで、前記アドレス情報抽出手段は、前記グレーコードをバイナリデータのアドレス値に逆変換する逆変換手段を有し、前記逆変換手段は、前記同相ウォブルに対応するビットでは前記グレーコードをそのままバイナリデータ値に逆変換し、前記逆相ウォブルに対応するビットでは前記グレーコードを０に固定したバイナリデータ値に逆変換することでランドのアドレス情報を抽出してもよい。
【００２１】
また、前記アドレス情報抽出手段は、前記ウォブル信号から前記逆相ウォブルに対応するビットを検出する検出手段を有し、前記逆変換手段は、前記検出手段からの検出信号に基づいて前記グレーコードを前記バイナリデータに逆変換してもよい。ウォブル信号から前記逆相ウォブルに対応するビットを実際に検出するのではなく、ランドにおいて時間的に先行するセグメント（データ領域の単位）のアドレスが確定している場合、その確定アドレスに基づいて次のセグメントのウォブル信号の前記逆相ウォブルに対応するビットを予測し、予測結果に基づいて前記グレーコードを前記バイナリデータに逆変換してもよい。予測結果を実際に検出した結果と比較し、予測結果を検証してもよい。
【００２２】
また、前記逆変換手段は、前記グレーコードの最上位ビットをそのまま出力するとともに、前記グレーコードの最上位ビットより下位のビットについては、そのビットと１つ上位のバイナリデータのビットとの排他的論理和を出力するゲート回路と、前記ゲート回路への入力信号を切り換えるスイッチ手段とを有し、前記スイッチ手段は、前記同相ウォブルに対応するビットでは前記グレーコードのビットが前記ゲート回路に入力するように切替わり、前記逆相ウォブルに対応するビットでは前記グレーコードのビットを遮断し前記１つ上位のバイナリデータのビットがともに前記ゲート回路に入力するように切り替わるべく動作してもよい。
【００２３】
また、前記逆変換手段から出力されたバイナリデータのうち、前記逆相ウォブルに対応するビットより下位のビットが全て１であるか否かを検出する手段をさらに有してもよい。
【００２４】
また、前記アドレス情報抽出手段で抽出したアドレス情報を、前記光ディスクに予め形成され読み出されたランド専用のアドレス情報と比較する手段をさらに有してもよい。
【００２５】
また、本発明は、グルーブ及びランドをウォブルさせることでアドレス情報が埋め込まれ、かつ、前記アドレス情報は連続する２つのアドレス値の符号間距離が１となるグレーコードに変換されて前記ウォブルに埋め込まれた光ディスクのグルーブ及びランドにデータの記録あるいは再生を行う光ディスク装置であって、前記光ディスクにレーザ光を照射しその反射光を受光してウォブル信号を生成するウォブル信号生成手段と、前記ウォブル信号から前記アドレス情報を抽出する手段であって、グルーブのアドレス情報を、前記グルーブを形成する内周側ウォブルと外周側ウォブルの位相が同一である同相ウォブル、並びに内周側ウォブルと外周側ウォブルの位相が反転した逆相ウォブルから抽出するアドレス情報抽出手段とを有することを特徴とする。
【００２６】
ここで、前記アドレス情報抽出手段は、前記グレーコードをバイナリデータのアドレス値に逆変換する逆変換手段を有し、前記逆変換手段は、前記同相ウォブルに対応するビットでは前記グレーコードをそのままバイナリデータ値に逆変換し、前記逆相ウォブルに対応するビットでは前記グレーコードを１に固定したバイナリデータ値に逆変換することでグルーブのアドレス情報を抽出してもよい。
【００２７】
また、前記アドレス情報抽出手段は、前記ウォブル信号から前記逆相ウォブルに対応するビットを検出する検出手段を有し、前記逆変換手段は、前記検出手段からの検出信号に基づいて前記グレーコードを前記バイナリデータに逆変換してもよい。ウォブル信号から前記逆相ウォブルに対応するビットを実際に検出するのではなく、グルーブにおいて時間的に先行するセグメント（データ領域の単位）のアドレスが確定している場合、その確定アドレスに基づいて次のセグメントのウォブル信号の前記逆相ウォブルに対応するビットを予測し、予測結果に基づいて前記グレーコードを前記バイナリデータに逆変換してもよい。予測結果を実際の検出結果と比較して検証してもよい。
【００２８】
また、本発明は、グルーブ及びランドをウォブルさせることでアドレス情報が埋め込まれ、かつ、前記アドレス情報は連続する２つのアドレス値の符号間距離が１となるグレーコードに変換されて前記ウォブルに埋め込まれた光ディスクのグルーブ及びランドにデータの記録あるいは再生を行う光ディスク装置であって、ランドのアドレス情報を、前記ランドを形成する内周側ウォブルと外周側ウォブルの位相が同一である同相ウォブル、並びに内周側ウォブルと外周側ウォブルの位相が反転した逆相ウォブルから抽出するアドレス情報抽出手段を有し、前記アドレス情報抽出手段は、前記光ディスクに予め形成されたランド専用のアドレス情報から確定したバイナリデータのアドレス値から連続する次のバイナリデータのアドレス値を演算し、確定したバイナリデータのアドレス値と演算して得られた次のバイナリデータのアドレス値から前記逆相ウォブルに対応するビットを検出する検出手段と、前記検出手段からの検出信号に基づき、前記同相ウォブルに対応するビットでは前記グレーコードをそのままバイナリデータ値に逆変換し、前記逆相ウォブルに対応するビットでは前記グレーコードを０に固定したバイナリデータ値に逆変換することでランドのアドレス情報を抽出する逆変換手段とを有する。バイナリデータのアドレス値（２進アドレス）とグレーコードとは一定の関係があり、連続したバイナリデータ（２進数）を対比した場合の桁上がり位置が対応するグレーコードにおける変化ビット位置となる。すなわち、連続した２つの２進数が与えられた場合、小さい方の２進数の値が「０」で、大きい方の２進数の値が「１」となるビット位置が、それぞれに対応するグレーコードの変化ビット位置、つまり逆相ウォブル位置に等しい。このことを利用して、既に確定した２進アドレスから次の２進アドレスを算出し、この２つの２進アドレスからグレーコードにおける変化ビット位置を演算により検出する。
【００２９】
この場合、検出手段としては、前記確定したバイナリアドレスのビットが入力されるインバータと、前記インバータからの反転出力及び演算して得られた次のバイナリアドレスの同位置ビットが入力され、これらの論理積を演算するゲート回路とを有して構成することができる。２進アドレスのビットが「０」で、次の２進アドレスのビットが「１」である場合、論理積ゲート（ＡＮＤゲート）からの出力は１となり、他の組み合わせでは出力は「０」となる。したがって、ＡＮＤゲートからの出力が１となるビット位置を変化ビット位置として特定される。
【００３０】
また、本発明は、グルーブ及びランドをウォブルさせることでアドレス情報が埋め込まれ、かつ、前記アドレス情報は連続する２つのアドレス値の符号間距離が１となるグレーコードに変換されて前記ウォブルに埋め込まれた光ディスクのグルーブ及びランドにデータの記録あるいは再生を行う光ディスク装置であって、グルーブのアドレス情報を、前記グルーブを形成する内周側ウォブルと外周側ウォブルの位相が同一である同相ウォブル、並びに内周側ウォブルと外周側ウォブルの位相が反転した逆相ウォブルから抽出するアドレス情報抽出手段を有し、前記アドレス情報抽出手段は、前記光ディスクに予め形成されたグルーブ専用のアドレス情報から確定したバイナリデータのアドレス値から連続する１つ前のバイナリデータのアドレス値を演算し、確定したバイナリデータのアドレス値と演算して得られた１つ前のバイナリデータのアドレス値から前記逆相ウォブルに対応するビットを検出する検出手段と、前記検出手段からの検出信号に基づき、前記同相ウォブルに対応するビットでは前記グレーコードをそのままバイナリデータ値に逆変換し、前記逆相ウォブルに対応するビットでは前記グレーコードを１に固定したバイナリデータ値に逆変換することでグルーブのアドレス情報を抽出する逆変換手段とを有する。既述したように、連続した２つの２進数が与えられると、それらに対応するグレーコードの変化ビット位置が分かる。そこで、グルーブのアドレスを抽出する場合でも、既に確定したアドレス値から１つ前のアドレス値を演算し、２つの２進アドレスからグレーコードにおける変化ビット位置を検出する。なお、ランドの場合には確定したアドレスの次のアドレスを演算により算出し、グルーブの場合には確定したアドレスの１つ前のアドレスを演算により算出するのは、光ディスクにグルーブｎ、ランドｎ、グルーブｎ＋１、ランドｎ＋１・・と順次トラックが形成されている場合、ランドｎに対して連続する隣接トラック番号はグルーブ（ｎ＋１）であるのに対し、グルーブｎに対して連続する隣接トラック番号はランド（ｎ−１）だからである。
【００３１】
一方、光ディスクにランドｎ、グルーブｎ、ランドｎ＋１、グルーブｎ＋１・・・と順次トラックが形成されている場合、ランドのときには確定したアドレスの一つ前のアドレスを演算により算出し、グルーブの場合には確定したアドレスの次のアドレスを演算により算出して変化ビット位置を検出すればよい。
【００３２】
また、本発明において、前記逆変換手段は、前記グレーコードの最上位ビットをそのまま出力するとともに、前記グレーコードの最上位ビットより下位のビットについては、そのビットと１つ上位のバイナリデータのビットとの排他的論理和を出力するゲート回路と、前記ゲート回路からの出力を切り換えるスイッチ手段とを有し、前記スイッチ手段は、前記同相ウォブルに対応するビットでは前記ゲート回路の出力をそのまま出力し、前記逆相ウォブルに対応するビットでは前記ゲート回路の出力を「０」あるいは「１」のいずれかを固定的に出力するように切り替わる構成としてもよい。
【発明の効果】
【００３３】
本発明によれば、光ディスクにおいて不要なアドレスデータを削除できる。また、アドレス検出精度を向上させることができる。
【発明を実施するための最良の形態】
【００３４】
以下、図面に基づき本発明の実施形態について説明する。
【００３５】
図１には、本実施形態に係る光ディスク装置の全体構成図が示されている。光ディスク１０はスピンドルモータ（ＳＰＭ）１２により回転駆動される。スピンドルモータＳＰＭ１２は、ドライバ１４で駆動され、ドライバ１４はサーボプロセッサ３０により所望の回転速度となるようにサーボ制御される。本実施形態では、一例として、ドライバ１４は光ディスク１０を内周から外周の間で複数のゾーンに分割し、各ゾーンにおいて角速度一定（ＺＣＡＶ）となるように駆動する。
【００３６】
光ピックアップ１６は、レーザ光を光ディスク１０に照射するためのレーザダイオード（ＬＤ）や光ディスク１０からの反射光を受光して電気信号に変換するフォトディテクタ（ＰＤ）を含み、光ディスク１０に対向配置される。光ピックアップ１６はスレッドモータ１８により光ディスク１０の半径方向に駆動され、スレッドモータ１８はドライバ２０で駆動される。ドライバ２０は、ドライバ１４と同様にサーボプロセッサ３０によりサーボ制御される。また、光ピックアップ１６のＬＤはドライバ２２により駆動され、ドライバ２２はオートパワーコントロール回路（ＡＰＣ）２４により駆動電流が所望の値となるように制御される。ＡＰＣ２４は、光ディスク１０のテストエリア（ＰＣＡ）において実行されたＯＰＣ（Optimum Power Control）により選択された最適記録パワーとなるようにドライバ２２の駆動電流を制御する。ＯＰＣは、光ディスク１０のＰＣＡに記録パワーを複数段に変化させてテストデータを記録し、該テストデータを再生してその信号品質を評価し、所望の信号品質が得られる記録パワーを選択する処理である。信号品質には、β値やγ値、変調度、ジッタ等が用いられる。
【００３７】
光ディスク１０に記録されたデータを再生する際には、光ピックアップ１６のＬＤから再生パワーのレーザ光が照射され、その反射光がＰＤで電気信号に変換されて出力される。光ピックアップ１６からの再生信号はＲＦ回路２６に供給される。ＲＦ回路２６は、再生信号からフォーカスエラー信号やトラッキングエラー信号を生成し、サーボプロセッサ３０に供給する。サーボプロセッサ３０は、これらのエラー信号に基づいて光ピックアップ１６をサーボ制御し、光ピックアップ１６をオンフォーカス状態及びオントラック状態に維持する。
【００３８】
光ピックアップ１６は、光ディスク１０のグルーブ及びランドに対して記録／再生を行う。光ディスク１０には螺旋状にグルーブが形成されており、例えばグルーブ１→ランド１→グルーブ２→ランド２→グルーブ３→ランド３→・・等とグルーブとランド間で交互にデータを記録／再生する。あるいは、ゾーン毎にグルーブのみ記録／再生した後にランドに記録／再生する等、ゾーン毎にゾーン内のグルーブを全て記録／再生した後に同一ゾーン内のランドを記録／再生してもよい。また、ＲＦ回路２６は、再生信号に含まれるアドレス信号をアドレスデコード回路２８に供給する。アドレスデコード回路２８はアドレス信号から光ディスク１０のアドレスデータを復調し、サーボプロセッサ３０やシステムコントローラ３２に供給する。アドレスデータは、光ディスク１０のグルーブ及びランドにウォブルとして埋め込まれる。光ディスク１０は、アドレスデータとして、領域アドレス及びトラックアドレスを含む。アドレスデータは、図２４に示されるようなグレーコードとして光ディスク１０に形成される。
【００３９】
本実施形態における光ディスク１０のアドレスフォーマットは、図２１に示すような２つのアドレス系ではなく、１つのアドレス系から構成される。すなわち、基本的にグルーブのトラック番号が内周から外周に向けて連続するようなトラック番号が付される。具体的には、図２１に即して説明すると、Ｇ１、Ｌ１、Ｇ２、Ｌ２、Ｇ３、・・・とグルーブ及びランドが螺旋状に配列している場合、グルーブのトラック番号がｎ＋１、ｎ＋２、ｎ＋３となるように付されている。全てのグルーブにおいて０度の同相ウォブルあるいは１８０度の同相ウォブルとなるようにウォブルが形成されていると表現することもでき、これをグルーブ用のトラックアドレス（Ｇトラックアドレス）と称する。本実施形態では、このようなＧトラックアドレスからグルーブのアドレスを検出するだけでなく、グルーブに挟まれたランドのアドレスも検出する。すなわち、図２１において「ＮＧ」とされたウォブルの組み合わせからアドレスを検出する。
【００４０】
なお、光ディスク１０のアドレスとして、このようにグルーブのトラック番号を連続とするように形成する他、図２１に示すようにアドレス系を２つ形成し、一方のアドレス系でグルーブトラックアドレスを検出し、他方のアドレス系でランドトラックアドレスを検出する（これをＬトラックアドレスと称する）構成とすることもでき、この場合には、Ｇトラックアドレスを用いて検出されたランドトラックアドレスを、Ｌトラックアドレスを用いて検証することができる。すなわち、本実施形態では、
（１）光ディスク１０にＧトラックアドレス系のみを形成し、Ｌトラックアドレス系を形成しない
（２）光ディスク１０に従来と同様にＧトラックアドレス系とＬトラックアドレス系を形成し、ランドトラックアドレス検出時に、光ディスク１０に形成されたＬトラックアドレス系をチェック用アドレスとして用いる
の２つの態様がある。
【００４１】
ＲＦ回路２６は、再生ＲＦ信号を２値化回路３４に供給する。２値化回路３４は、再生信号を２値化し、得られたＥＦＭ信号（ＣＤディスク）あるいは８−１６変調信号（ＤＶＤディスク）をエンコード／デコード回路３６に供給する。エンコード／デコード回路３６では、２値化信号を復調及びエラー訂正して再生データを得、当該再生データをインタフェースＩ／Ｆ４０を介してパーソナルコンピュータなどのホスト装置に出力する。なお、再生データをホスト装置に出力する際には、エンコード／デコード回路３６はバッファメモリ３８に再生データを一旦蓄積した後に出力する。
【００４２】
光ディスク１０にデータを記録する際には、ホスト装置からの記録すべきデータはインターフェースＩ／Ｆ４０を介してエンコード／デコード回路３６に供給される。エンコード／デコード回路３６は、記録すべきデータをバッファメモリ３８に格納し、当該記録すべきデータをエンコードして変調データとしてライトストラテジ回路４２に供給する。ライトストラテジ回路４２は、変調データを所定の記録ストラテジに従ってマルチパルス（パルストレーン）に変換し、記録データとしてドライバ２２に供給する。記録ストラテジは、例えばマルチパルスにおける先頭パルスのパルス幅や後続パルスのパルス幅、パルスデューティから構成される。記録ストラテジは記録品質に影響することから、通常はある最適ストラテジに固定される。ＯＰＣ時に記録ストラテジを併せて設定してもよい。記録データによりパワー変調されたレーザ光は光ピックアップ１６のＬＤから照射されて光ディスク１０にデータが記録される。データを記録した後、光ピックアップ１６は再生パワーのレーザ光を照射して当該記録データを再生し、ＲＦ回路２６に供給する。ＲＦ回路２６は再生信号を２値化回路３４に供給し、２値化されたデータはエンコード／デコード回路３６に供給される。エンコード／デコード回路３６は、変調データをデコードし、バッファメモリ３８に記憶されている記録データと照合する。ベリファイの結果はシステムコントローラ３２に供給される。システムコントローラ３２はベリファイの結果に応じて引き続きデータを記録するか、あるいは交替処理を実行するかを決定する。
【００４３】
＜Ｇトラックアドレス系のみが形成されている場合＞
以下、本実施形態において、光ディスク１０にＧトラックアドレスのみが形成されているとして、ランドに対する記録／再生時にＧトラックアドレスからランドトラックアドレスを検出する方法について説明する。
【００４４】
図２には、光ディスク１０に形成される、グルーブＮ、ランドＮ、グルーブＮ＋１、ランドＮ＋１、グルーブＮ＋２、ランドＮ＋２、グルーブＮ＋３におけるＧトラックアドレスの一例が示されている。グルーブ及びランドは内周から外周に向けて螺旋状に形成され、グルーブには０度の同相ウォブル（グルーブを形成する内周側ウォブル及び外周側ウォブルがともに０度の位相）あるいは１８０度の同相ウォブル（内周側ウォブル及び外周側ウォブルがともに１８０度の位相）が形成される（図２２参照）。図ではアドレスデータが８ビットで表現されているが、ビット数はこれに限定されるものではなく、例えば１２ビットとしてもよい。Ｇトラックアドレスのバイナリデータは連続するトラック番号の符号間距離が１となるグレーコードに変換されて記録される。具体的には、グルーブＮのＧトラックアドレスが「００００００００」である場合、グルーブＮ＋１のＧトラックアドレスは最下位ビットＬＳＢだけ反転した「０００００００１」である。また、グルーブＮ＋２のＧトラックアドレスは、その１つ上位のビットだけ反転した「００００００１１」である。さらに、グルーブＮ＋３のＧトラックアドレスは、最下位ビットだけ反転した「００００００１０」である。ここで、「０」は図２２に示されるように位相が０度の同相ウォブルとして形成され、「１」は位相が１８０度の同相ウォブルとして形成される。
【００４５】
一方、グルーブＮとグルーブＮ＋１に挟まれたランドＮのアドレスに関しては、グルーブＮとグルーブＮ＋１がともに「０」であれば位相が０度の同相ウォブルとなるためランドのウォブルとして「０」が検出できるが、最下位ビットに関してはグルーブＮのウォブルが０度の位相のウォブルであり、グルーブＮ＋１のウォブルが１８０度の位相のウォブルであるためランドのウォブルとして逆相となり検出できない。すなわち、ランドＮを形成する内周側ウォブルと外周側ウォブルが１８０度反転した位相となるためウォブル信号が消えてしまう。図では、このようにウォブルが逆相となってデータを検出できないビットを変化ビット１００として「Ｘ」で示されている。
【００４６】
グルーブＮ＋１とグルーブＮ＋２に挟まれたランドＮ＋１のアドレスに関しては、グルーブＮ＋１とグルーブＮ＋２がともに「０」であれば位相が０度の同相ウォブルとなるためランドのウォブルとして「０」が検出でき、グルーブＮ＋１とグルーブＮ＋２がともに「１」であれば位相が１８０度の同相ウォブルとなるためランドのウォブルとして「１」が検出できるが、最下位ビットの１つ上位のビットに関してはグルーブＮ＋１のウォブルが０度の位相のウォブルであり、グルーブＮ＋２のウォブルが１８０度の位相のウォブルであるためランドのウォブルとして逆相となり検出できない。
【００４７】
また、グルーブＮ＋２とグルーブＮ＋３に挟まれたランドＮ＋２のアドレスに関しては、グルーブＮ＋２とグルーブＮ＋３がともに「０」であれば位相が０度の同相ウォブルとなるためランドのウォブルとして「０」が検出でき、グルーブＮ＋２とグルーブＮ＋３がともに「１」であれば位相が１８０度の同相ウォブルとなるためランドのウォブルとして「１」が検出できるが、最下位ビットに関してはグルーブＮ＋２のウォブルが１８０度の位相のウォブルであり、グルーブＮ＋３のウォブルが０度の位相のウォブルであるためランドのウォブルとして逆相となり検出できない。隣接するトラック番号は符号間距離が１となるグレーコードに変換されているため、８ビットのうちいずれかのビットが不定となる。
【００４８】
このように、そのままランドアドレスを検出しようとしたのではアドレスが不定となるが、図２から分かるように、例えばランドＮに関しては本来はグルーブＮと同じ２進アドレス「００００００００」であり、最下位ビットの「Ｘ」の２進アドレスを「０」に置き換えてしまえばランドアドレスが正確に確定することになる。また、ランドＮ＋１に関しても本来はグルーブＮ＋１と同じ２進アドレス「０００００００１」であり、最下位ビットの次のビット（第１位ビット）の「Ｘ」の２進アドレスを「０」に置き換えてしまえばランドアドレスが正確に確定する。さらに、ランドＮ＋２に関しても本来はグルーブＮ＋２と同じ２進アドレス「００００００１０」であり、最下位ビットの「Ｘ」の２進アドレスを「０」に置き換えてしまえばランドアドレスが正確に確定する。本実施形態では、このような原理に基づいて、Ｇトラックアドレス系のみからグルーブアドレスのみならずランドアドレスについても検出する。
【００４９】
本実施形態におけるランドアドレスの検出は、大別して２つのステップから構成される。第１は図２に示された「Ｘ」位置、すなわちウォブルが逆相となる変化ビットを検出するステップであり、第２は変化ビットにおいて２進アドレスビットの値を「０」に置き換えて２進アドレスを得るステップである。
【００５０】
＜変化ビット位置検出＞
図３には、変化ビット位置を検出する処理を説明するためのタイミングチャートが示されている。図３（Ａ）は、グルーブＮ、及びグルーブＮ＋１におけるウォブルであり、変化ビット１００、すなわちグルーブＮにおいて位相０度の同相ウォブルとグルーブＮ＋１において位相１８０度の同相ウォブルの部分が示されている。
【００５１】
図３（Ｂ）は、図３（Ａ）のような構成において、ランドＮにおいて記録／再生する場合のフォトディテクタの配置位置とランドＮのウォブルのみを取り出したものである。フォトディテクタは４分割フォトディテクタが用いられるが、光ディスクの半径方向に配置された２つのフォトディテクタをそれぞれフォトディテクタＡ、Ｂと称すると（４分割フォトディテクタの要素をａ、ｂ、ｃ、ｄとし、ａ，ｂが内周側に位置し、ｃ、ｄが外周側に位置するとすると、フォトディテクタＡ＝ａ＋ｂ、フォトディテクタＢ＝ｃ＋ｄである）、フォトディテクタＡはランドＮの両壁のウォブルのうち内周側のウォブル、すなわち位相０度のウォブルを検出し、フォトディテクタＢはランドＮの両壁のウォブルのうち外周側のウォブル、すなわち位相１８０度のウォブルを検出する。
【００５２】
図３（Ｃ）は、図３（Ｂ）に示されたフォトディテクタＡ，Ｂの検出信号の差分Ａ−Ｂを示したものである。同相ウォブルのビットでは所定値以上の振幅を有する信号が出現し、変化ビット１００の部分では位相反転したウォブル信号の差分を演算するため振幅はほぼ０となる。したがって、Ａ−Ｂの振幅を検出し、振幅が実質的にゼロとなる領域を検出することで、変化ビット１００を検出することができる。
【００５３】
図４には、図１におけるアドレスデコード回路２８に含まれる変化ビット検出回路の回路構成が示されており、図５には、図４における各部のタイミングチャートが示されている。変化ビット検出回路は、検波回路２８ａ、２つのピークホールド回路２８ｂ、２８ｃ及び比較器２８ｄから構成される。
【００５４】
検波回路２８ａには、フォトディテクタＡ、Ｂの差分信号Ａ−Ｂが供給される。なお、差分信号Ａ−Ｂは、ＲＦ回路２６で生成することができる。検波回路２８ａは、差分信号を検波して２つのピークホールド回路２８ｂ、２８ｃに出力する。図５（Ａ）には、検波回路２８ａからの出力信号ｐが示されている。
【００５５】
ピークホールド回路２８ｂ、２８ｃは、それぞれ放電時定数が大及び小のピークホールド回路であり、ピークホールド回路２８ｂでは放電時定数が大きいため変化ビット位置においても信号振幅はほとんど維持される。一方、ピークホールド回路２８ｃでは放電時定数が小さいため変化ビット位置において急峻に信号振幅が減少する。図５（Ｂ）には、ピークホールド回路２８ｂからの出力信号ｑが示されており、図５（Ｃ）には、ピークホールド回路２８ｃからの出力信号ｒが示されている。ピークホールド回路２８ｂ、２８ｃからの出力信号は比較器２８ｄに供給される。
【００５６】
比較器２８ｄは、ピークホールド回路２８ｂからの出力信号ｑと、ピークホールド回路２８ｃからの出力信号ｒを所定倍α（例えばα＝１．４）だけ増幅した信号とを大小比較する。図５（Ｄ）には、出力信号ｑと出力信号ｒ×αが示されており、比較器２８ｄは、出力信号ｑが大となる場合のみレベルがＨｉとなる検出信号ｓを出力する。出力信号ｑは変化ビット位置でも振幅レベルを維持し、一方出力信号ｒは変化ビット位置では振幅レベルが急峻に減少してほとんどゼロとなる。したがって、両信号を大小比較することで、変化ビット位置でＨｉとなる検出信号ｓを生成することができる。図５（Ｅ）には、検出信号ｓが示されている。
【００５７】
＜変化ビットの置き換え並びにグレーコードから２進データへの逆変換＞
次に、変化ビットを検出した後の、変化ビット位置におけるビットの置き換えについて説明する。
【００５８】
図６には、アドレスデコード回路２８に含まれるグレーコード逆変換器２８ｅの回路構成が示されている。このグレーコード逆変換器２８ｅは、グレーコードを元の２進データに復調するための回路である。グレーコード変換器は、図２３に示されるように隣接するビット間の排他的論理和演算を行う回路であり、グレーコード逆変換器は、基本的にこの逆変換を行うものである。図７には、図２３のグレーコード変換器に対応するグレーコード逆変換器の構成が示されている。グレーコードの最上位ビットＭＳＢはそのまま出力し、最上位ビットの下のビットは、当該ビットと最上位ビットとがＥＸ−ＯＲゲート１で排他的論理和演算が行われ、逆変換される。以下同様にして、あるビットに着目すると、そのビットとその一つ上の２進ビットとの排他的論理和により当該ビットが２進データに変換される。一方、図６に示された本実施形態のグレーコード逆変換器２８ｅは、図７に示されたグレーコード逆変換器に、各ビット毎のスイッチＳＷを付加した構成である。
【００５９】
すなわち、グレーコードの最上位ビットＭＳＢはスイッチＳＷ７の接点ｄに接続され、スイッチＳＷ７の他方の接点ｕは接地（０に相当）される。また、グレーコードの最下位ビットＬＳＢはスイッチＳＷ０の接点ｄに接続され、スイッチＳＷ０の他方の接点ｕは一つ上の２進ビットに接続される。他のスイッチＳＷ１〜ＳＷ６についてもＳＷ０と同様である。各スイッチＳＷ０〜ＳＷ７は、通常は接点ｄ側に切り換えられており、この場合には図７に示されたグレーコード逆変換器と同様に機能する。一方、変化ビットが検出された場合、その変化ビット位置に対応するスイッチＳＷの接点は接点ｄから接点ｕ側に切り換えられる。例えば、グレーコードの最下位ビットＬＳＢの位置で変化ビットが検出された場合、検出信号に基づいてＳＷ０の接点が接点ｄから接点ｕに切り替わる。また下から２番目の位置で変化ビットが検出された場合、検出信号に基づいてＳＷ１の接点が接点ｄから接点ｕに切り替わる。以下同様にして変化ビットの位置に対応するＳＷの接点を接点ｄから接点ｕに切り換える。
【００６０】
図８には、本実施形態におけるランドアドレスの検出処理フローチャートが示されている。まず、アドレスデコード回路２８の変化ビット検出回路でグレーコードにおける変化ビット位置を検出する（Ｓ１０１）。検出信号は、アドレスデコード回路２８のグレーコード逆変換器２８ｅに供給される。変化ビットを検出した後、変化ビット位置におけるグレーコード逆変換器のＳＷの接点を切り換える（Ｓ１０２）。この接点切替がランドトラックアドレスの変化ビット「Ｘ」を「０」に置き換えて隣接グルーブトラックアドレスに一致させる処理に対応する。そして、２進アドレスをシステムコントローラ３２に出力する。
【００６１】
以下、グレーコード逆変換器２８ｅのＳＷを切り替える効果について、具体的に説明する。
【００６２】
図９には、グルーブＮ、及びグルーブＮ＋１におけるＧトラックアドレスのグレーコードが示されている。グルーブＮは「００００００００」であり、グルーブＮ＋１は「０００００００１」である。ランドＮにおける変化ビット１００は最下位ビットの位置にある。
【００６３】
図１０には、グレーコード逆変換器２８ｅにおいて、最下位ビットに対応するＳＷ０の接点を接点ｄから接点ｕに切り換えた場合の構成が示されている。最上位ビットＭＳＢから第１位ビットまでは全てランドＮのグレーコードは０であり、最下位ビットは不定の「Ｘ」である。最上位ビットから第１位ビットまでは通常のグレーコード逆変換に従い変換される。例えば、最上位ビット「０」はそのまま２進アドレスの最上位ビット「０」となる。また、グレーコードの第６位ビット「０」と２進アドレスの最上位ビット「０」の排他的論理和が演算されて２進アドレスの第６位ビット「０」となる。また、グレーコードの第５位ビット「０」と２進アドレスの第６位ビット「０」の排他的論理和が演算されて２進アドレスの第５位ビット「０」となる。また、グレーコードの第４位ビット「０」と２進アドレスの第５位ビット「０」の排他的論理和が演算されて２進アドレスの第４位ビット「０」となる。また、グレーコードの第３位ビット「０」と２進アドレスの第４位ビット「０」の排他的論理和が演算されて２進アドレスの第３位ビット「０」となる。また、グレーコードの第２位ビット「０」と２進アドレスの第３位ビット「０」の排他的論理和が演算されて２進アドレスの第２位ビット「０」となる。また、グレーコードの第１位ビット「０」と２進アドレスの第２位ビット「０」の排他的論理和が演算されて２進アドレスの第１位ビット「０」となる。一方、グレーコードの最下位ビットＬＳＢ「Ｘ」に関しては、ＳＷ０の接点が接点ｄから接点ｕに切り換えられており、２進アドレスの第１位ビット「０」同士の排他的論理和が演算されて２進アドレスの最下位ビットＬＳＢ「０」となる。結局、ランドＮのグレーコードを逆変換して得られる２進アドレスは「００００００００」となり、これは隣接する前のグルーブあるいは隣接する内周側のグルーブのトラック番号と同一となり、正しいトラックアドレスとなる。
【００６４】
図１１には、グルーブＮ＋１、及びグルーブＮ＋２におけるＧトラックアドレスのグレーコードが示されている。グルーブＮ＋１は「０００００００１」であり、グルーブＮ＋２は「００００００１１」である。ランドＮ＋１における変化ビット１００は第１位ビットの位置にある。
【００６５】
図１２には、グレーコード逆変換器２８ｅにおいて、第１位ビットに対応するＳＷ１の接点を接点ｄから接点ｕに切り換えた場合の構成が示されている。ランドＮ＋１のグレーコードの最上位ビットＭＳＢから第２位ビットまでは全て０であり、第１位ビットは不定の「Ｘ」、最下位ビットは「１」である。最上位ビットから第２位ビットまでは通常のグレーコード逆変換に従い変換される。例えば、最上位ビット「０」はそのまま２進アドレスの最上位ビット「０」となる。また、グレーコードの第６位ビット「０」と２進アドレスの最上位ビット「０」の排他的論理和が演算されて２進アドレスの第６位ビット「０」となる。また、グレーコードの第５位ビット「０」と２進アドレスの第６位ビット「０」の排他的論理和が演算されて２進アドレスの第５位ビット「０」となる。また、グレーコードの第４位ビット「０」と２進アドレスの第５位ビット「０」の排他的論理和が演算されて２進アドレスの第４位ビット「０」となる。また、グレーコードの第３位ビット「０」と２進アドレスの第４位ビット「０」の排他的論理和が演算されて２進アドレスの第３位ビット「０」となる。また、グレーコードの第２位ビット「０」と２進アドレスの第３位ビット「０」の排他的論理和が演算されて２進アドレスの第２位ビット「０」となる。一方、グレーコードの第１位ビット「Ｘ」に関しては、ＳＷ１の接点が接点ｄから接点ｕに切り換えられており、２進アドレスの第２位ビット「０」同士の排他的論理和が演算されて２進アドレスの第１位ビット「０」となる。また、グレーコードの最下位ビット「１」と２進アドレスの第１位ビット「０」の排他的論理和が演算されて２進アドレスの最下位ビット「１」となる。結局、ランドＮ＋１のグレーコードを逆変換して得られる２進アドレスは「０００００００１」となり、これは隣接する前のグルーブあるいは隣接する内周側のグルーブのトラック番号と同一となり、正しいトラックアドレスとなる。
【００６６】
他の場合についても同様であり、例えばグルーブＭのグレーコードが「０００００１１１」（２進アドレスは「０００００１０１」）、グルーブＭ＋１のグレーコードが「０００００１０１」（２進アドレスは「０００００１１０」）である場合、ランドＭのグレーコードは「０００００１Ｘ１」となり、第１位ビットが変化ビット「Ｘ］となり、ＳＷ１の接点が接点ｄから接点ｕに切り替わり、２進アドレスの第２位ビット同士の排他的論理和となるため常に「０」となり、結局、ランドＭの２進アドレスは「０００００１０１」となって、グルーブＭの２進アドレスと同一の正確なトラックアドレスが得られる。
【００６７】
このように、ランドアドレスのグレーコードにおいて、変化ビットの位置における不定値「Ｘ」を逆変換による２進アドレスビットの「０」に置き換えることで、そのランドに隣接する内周側のグルーブと同一の２進アドレスを得ることができ、したがってＬトラックアドレスを検出することなくＧトラックアドレスのみでランドトラックアドレスを検出し、ランドに対してデータの記録／再生を行うことができる。
【００６８】
図１３には、本実施形態のアドレスデータのフォーマットが示されている。光ディスク１０のアドレスデータとして、セグメント情報等の領域アドレスの他、Ｇトラックアドレスのみが形成されている。ランドＮのトラックアドレス２００はグルーブＮ及びグルーブＮ＋１の同相ウォブルから検出され、ランドＮ＋１のトラックアドレス２０１はグルーブＮ＋１及びグルーブＮ＋２の同相ウォブルから検出される。ランドＮ及びランドＮ＋１自体は逆相ウォブルであり、図２１に示された従来技術ではこれらはともに「ＮＧ」となることに注意されたい。
【００６９】
＜変化ビット位置検出のチェック＞
上述したように、本実施形態では差分信号Ａ−Ｂを時定数の互いに異なる２つのピークホールド回路２８ｂ、２８ｃでピークホールドして得られる信号同士を大小比較することで変化ビット位置を検出しているが、このようにして検出された変化位置ビットが真に正しいビット位置であるか否かを検査する方法について次に説明する。
【００７０】
図１４（Ａ）には、あるランドのグレーコード「０００００Ｘ１０」が示されている。第２位ビットに変化ビット１００が存在する。本実施形態では、この変化ビット１００の位置を検出し、グレーコードから２進アドレスに変換する逆変換器のＳＷ群のうち対応するＳＷの接点を切り換えることでその変化ビットの２進アドレスを「０」に置き換える。図１４（Ｂ）には、２進アドレスが示されている。変化ビット位置では常に「０」となり、そのビットよりも下位のビット１０２は全て「１」となる。２進アドレスにおいて変化ビットよりも下位のビット１０２が全て「１」となるのは、グレーコードの基本的性質及び図６に示されたグレーコード逆変換器２８ｅの構成から明らかであろう。すなわち、２進アドレスの第２位ビットを「０」に置き換えると、２進アドレスの第１位置ビットはこの「０」とグレーコードにおける第１位置の「１」との排他的論理和であるため常に「１」となり、２進アドレスの最下位ビットはこの「１」とグレーコードにおける最下位ビットの「０」との排他的論理和であるため常に「１」となる。
【００７１】
図１５（Ａ）には、他のランドのグレーコード「０００Ｘ１０００」が示されている。第４位ビットに変化ビット１００が存在する。この場合においても、変化ビットの２進アドレスを「０」に置き換えると、図１５（Ｂ）に示されるようにそれよりも下位のビット１０２は全て「１」となる。
【００７２】
このように、グレーコードを２進アドレスに逆変換する際に、変化ビットを「０」とするとそれより下位のビットは全て「１」となるため、このことを利用して変化ビット検出の正当性を検査することができる。すなわち、最終的に得られたランドトラックアドレスのうち、変化ビットよりも下位のビットが全て「１」になっているか否かを判定し、全て「１」であれば変化ビット位置の検出処理はＯＫと判定し、一方、変化ビットよりも下位のビットが全て「１」でない場合には変化ビット位置の検出処理はＮＧと判定する。全て「１」であるか否かは、例えば変化ビットよりも下位のビットを入力とするＡＮＤゲートを用いて判定できる。
【００７３】
なお、上記の説明ではＧトラックアドレス系からランドのトラックアドレスを検出する場合について説明したが、同様にＬトラックアドレス系からグルーブトラックアドレスを検出することもできる。すなわち、光ディスク１０にＬトラックアドレス系のみを形成し、ランドについてはこのＬトラックアドレス系からトラックアドレスを検出し、グルーブについてもこのＬトラックアドレス系からトラックアドレスを検出する。この場合、グルーブのアドレスを検出する際に逆相ウォブルとなるビットについては２進アドレスにおいて「１」となるように逆変換することで、当該グルーブに隣接するランドのうち外周側のランドのトラック番号と同一となるようにすればよい。
【００７４】
具体的には以下のようである。例えば、ランドＮのグレーコードが「０００００００１」（２進の「０００００００１」）であり、ランドＮ＋１のグレーコードが「００００００１１」（２進の「００００００１０」）であるとする。ランドＮとランドＮ＋１に挟まれたグルーブＮ＋１のグレーコードは「００００００Ｘ１」となる。第１位のビットは逆相ウォブル（すなわちグルーブＮ＋１の内周側ウォブルは０度の位相のウォブルである一方、外周側ウォブルは１８０度の位相のウォブル）であるため変化ビットとなる。このグルーブＮ＋１のグレーコードをグレーコード逆変換器で２進アドレスに逆変換する際、変化ビットの２進アドレスが「１」となるように逆変換する。すると、グルーブＮ＋１のグレーコードは２進の「００００００１０」に逆変換され、これは外周側のランドＮ＋１と同じ２進アドレスとなり、正確なアドレスが得られる。
【００７５】
変化ビットの２進アドレスを「１」とする回路構成は任意であるが、例えば図６に示されたグレーコード逆変換器２８ｅにおいて、接点ｕ側にＮＯＴゲートを付加し、ランドの記録／再生時にはこのＮＯＴゲートを無効とし、グルーブの記録／再生時にはこのＮＯＴゲートを有効とすればよい。変化ビット位置では、１つ上位の２進アドレス値とその反転値との排他的論理和が出力されるため、変位ビット位置における２進アドレスは常に「１」となる。
【００７６】
＜ＧトラックアドレスとＬトラックアドレスが形成されている場合＞
上述したように、本実施形態ではＧトラックアドレス系（グルーブの同相ウォブル）からランドトラックのアドレスを検出することができるが、光ディスク１０のアドレスフォーマットとして従来と同様にＧトラックアドレス系とＬトラックアドレス系を形成した場合、Ｌトラックアドレス系は、Ｇトラックアドレスから検出したランドトラックアドレスの検証用として用いることができる。
【００７７】
すなわち、ＧトラックアドレスとＬトラックアドレスが形成されている場合、ランドＮのトラックアドレスは上述の処理によりＧトラックアドレス系のみから検出することができる。そして、このようにして検出したアドレスと、Ｌトラックアドレス系を読み出して得られたトラックアドレスとを比較し、同一であればＧトラックアドレス系から検出したランドトラックアドレスが正しいアドレスであると検証することができる。
【００７８】
図１６には、Ｇトラックアドレス系とＬトラックアドレス系を有する場合の光ディスク１０のアドレスフォーマットが示されている。なお、アドレス情報のうちの領域アドレスは「セグメント」（セグメント情報の意）として示されている。
【００７９】
図において、ランドＮに対してデータを記録／再生するときのランドトラックアドレス（図中Ａ部分）は、グルーブＮに形成されたＧトラックアドレス及びグルーブＮ＋１に形成されたＧトラックアドレスから検出できる。また、グルーブＮ＋１に対してデータを記録／再生するときのグルーブトラックアドレス（図中Ｂ部分）は、ランドＮに形成されたＬトラックアドレス及びランドＮ＋１に形成されたＬトラックアドレスから検出できる。なお、Ｇトラックアドレスからランドトラックアドレスを検出する場合には、上述したように変化ビットを２進アドレスの「０」として隣接するグルーブのうち内周側のグルーブのトラックアドレスに一致させているが、Ｌトラックアドレス系からグルーブトラックアドレスを検出する場合には、変化ビットを２進アドレスの「１」として隣接するランドのうち外周側のランドのトラックアドレスに一致させる。すなわち、グルーブＮのトラックアドレスをランドＮ−１とランドＮのＬトラックアドレス系から検出する場合、外周側に位置するランドＮのトラックアドレスに一致させる。
【００８０】
ランドのトラックアドレスをＧトラックアドレス系から検出した場合、Ｌトラックアドレス系をチェック用アドレスとして用いることができると同様に、グルーブのトラックアドレスをＬトラックアドレス系から検出した場合にも、Ｇトラックアドレス系をチェック用アドレスとして用いることができる。
【００８１】
図１７には、ランドでデータを記録／再生する際にランドのトラックアドレスをＧトラックアドレス系から検出するとともに、グルーブでデータを記録／再生する際にグルーブのトラックアドレスをＬトラックアドレス系から検出するアドレスデコード回路２８の処理フローチャートが示されている。
【００８２】
まず、ウォブル信号の差分信号Ａ−Ｂに基づいて変化ビット位置を検出する（Ｓ２０１）。変化ビット位置は、図４に示された変化ビット検出回路で検出できる。次に、記録／再生するトラックがランドであるか否かを判定する（Ｓ２０２）。記録／再生するトラックがランドであるか否かは、システムコントローラ３２が判定してもよい。そして、記録／再生するトラックがランドである場合には、ランドのトラックアドレスの変化ビットが「０」となるようにグレーコードから２進アドレスに逆変換する（Ｓ２０３）。これにより、着目しているランドのトラックアドレスは、隣接するグルーブのうちの内周側のグルーブのトラックアドレスに一致するようになる。Ｓ２０３において得られた２進アドレスに対し、変化ビットより下位のビットが全て「１」であるか否かを確認することで得られた２進アドレスをチェックしてもよい。そして、Ｌグルーブトラックアドレスを検出し、Ｓ２０３で検出したトラックアドレスと一致するか否か検証する（Ｓ２０４）。なお、Ｓ２０４で両アドレスが一致しなかった場合には、Ｓ２０３で検出したアドレスに何らかの異常が発生したとみなし、Ｌトラックアドレスを採用してもよい。
【００８３】
一方、記録／再生するトラックがグルーブである場合には、グルーブのトラックアドレスの変化ビットが「１」となるようにグレーコードから２進アドレスに逆変換する（Ｓ２０５）。これにより、着目しているグルーブのトラックアドレスは、隣接するランドのうちの外周側のランドのトラックアドレスに一致するようになる。Ｓ２０５において得られた２進アドレスに対し、変化ビットより下位のビットが全て「０」であるか否かを確認することで得られた２進アドレスをチェックしてもよい。なお、グルーブにおいて変化ビットを「１」としてそれよりも下位のビットが全て「０」となるのはグレーコードの性質及びグレーコード逆変換器の構成から明らかである。図１８及び図１９には、グルーブトラックアドレスの場合のグレーコードと２進アドレスとの関係が示されている。図１８において、グレーコードにおける変化ビット１００を２進アドレスにおける「１」に置き換えると、それより下位の最下位ビット及び第１位ビットは全て「０」となる。２進アドレスの第１位ビットの値は第２位ビットとグレーコードにおける第１位ビットの排他的論理和で演算され、最下位ビットは第１位ビットとグレーコードにおける最下位ビットの排他的論理和で演算されるからである。同様に、図１９において、グレーコードにおける変化ビットを２進アドレスにおける「１」に置き換えると、それより下位の第３位〜最下位ビットは全て「０」となる。
【００８４】
再び図１７に戻り、以上のようにしてグルーブのトラックアドレスを得た後、Ｇトラックアドレスを検出してＳ２０５で得られたアドレスと一致するか否かを検証する（Ｓ２０６）。両アドレスが一致する場合には、得られたアドレスは真に正しいアドレスであるとして出力する（Ｓ２０７）。
【００８５】
以上、本発明の実施形態について説明したが、本発明はこれに限定されるものではなく種々の変更が可能である。
【００８６】
例えば、本実施形態では、ランドトラックアドレスを検出する際に、変化ビットを２進の「０」に置き換えることで隣接するグルーブのうちの内周側のグルーブのトラックアドレスに一致させているが、変化ビットを２進の「１」に置き換えることで隣接するグルーブのうちの外周側のグルーブのトラックアドレスに一致させることもできる。同様に、グルーブトラックアドレスを検出する際に、変化ビットを２進の「１」に置き換えることで隣接するランドのうちの外周側のランドのトラックアドレスに一致させるのではなく、変化ビットを２進の「０」に置き換えることで内周側のランドのトラックアドレスに一致させてもよい。
【００８７】
また、本実施形態では、ランドトラックアドレスを検出する際に、隣接するグルーブのウォブルが逆相となる位置を変化ビット位置とし、この変化ビットを２進の「０」に置き換えているが、記録／再生しようとするランドトラックのセグメントよりも時間的に前の（先行する）セグメントにおいてランドトラックアドレスが確定している場合、次のセグメントにおける変化ビット位置も予測できるから、実際に変化ビット位置を検出することなく、予測された位置の２進アドレスを「０」に置き換えることで当該セグメントのランドトラックアドレスを検出することもできる。具体的には、時間的に前のセグメントにおいてランドトラックアドレスが確定している場合、次のセグメントにおけるウォブル信号の変化ビットは時間的に先行するセグメントにおける変化ビット位置と同一であるため、そのビット位置においてグレーコードを自動的に２進アドレスの「０」に置き換える。この場合、ウォブル信号から実際に変化ビット位置を検出する必要はないが、実際に変化ビット位置を検出し、時間的に先行するセグメントから予測された変化ビット位置と比較することで実際に検出した変化ビット位置の検証に用いてもよい。グルーブトラックアドレスについても同様である。すなわち、グルーブにおいて時間的に先行するセグメントにおいてグルーブトラックアドレスが確定している場合、次のセグメントにおける変化ビット位置も予測できるから、実際に変化ビット位置を検出することなく、予測された位置の２進アドレスを「１」に置き換えることで当該セグメントのグルーブトラックアドレスを検出する。
【００８８】
図２０には、この場合の処理フローチャートが示されている。まず、時間的に前のセグメントにおいてトラックアドレスが既に確定しているか否かを判定する（Ｓ３０１）。前のセグメントにおいてトラックアドレスが既に確定している場合には、着目している次のセグメントのトラックアドレスも論理的に予想されるため、次のセグメントにおけるアドレスにおける変化ビット位置を演算する（Ｓ３０２）。一方、時間的に前のセグメントにおいてトラックアドレスが確定していない場合には、差分信号Ａ−Ｂを用いて変化ビット位置を実際に検出する（Ｓ３０３）。以下は図１７におけるＳ２０２以降の処理と同様であり、ランドの場合には変化ビットが「０」となるようにグレーコードを２進アドレスに逆変換し、グルーブの場合には変化ビットが「１」となるようにグレーコードを２進アドレスに逆変換する（Ｓ３０４〜Ｓ３０９）。
【００８９】
本実施形態では、光ディスク１０をＺＣＡＶで回転駆動する場合について説明したが、光ディスク１０を複数のゾーンに分割し、各ゾーンにおいて線速度一定となるように駆動してもよい（ＺＣＬＶ）。
【００９０】
また、本実施形態では、ランドのトラックアドレスを検出する際に同相ウォブル及び逆相ウォブルから検出しているが、グルーブとランドのトラックアドレスは内周から外周に向けて連続番号が付されているから、このことを利用してランドのトラックアドレス情報を隣接するグルーブのトラックアドレス情報から確定することもできる。すなわち、光ディスク１０にＧトラックアドレス系のみが形成されている場合、グルーブでの記録／再生時には常に同相ウォブルとなってトラックアドレスを確定できるため、ランドでの記録／再生の際には直接、当該ランドのトラックアドレスを検出するのではなく、常に隣接するグルーブのトラックアドレスを検出するようにする。例えば、記録／再生すべきランドがランドＮである場合、まずグルーブＮのトラックアドレスを同相ウォブルから確定する。グルーブＮのトラックアドレスが確定できた場合、目的とするランドＮはトラックアドレスを確定したグルーブの外周側隣接ランドであるから、たとえそのランドのウォブルが逆相ウォブルであっても当該ランドのトラックアドレスを確定できる。システムコントローラ３２は、あるランドに対してデータの記録／再生を行う場合、当該ランドに隣接するグルーブのトラックアドレスをまず確定し、そのグルーブを基準として目的ランドのトラックアドレスを予測すればよい。グルーブのトラックアドレスを確定した場合、そのグルーブの内周側ランドのトラックアドレスは確定トラックより１だけ小さく、外周側ランドのトラックアドレスは確定トラックと同一である。隣接グルーブの確定アドレスから目的ランドのアドレスを予測した後に、実施形態で説明した方法で同相ウォブル及び逆相ウォブルから実際に目的ランドのトラックアドレスを抽出し、予測トラックアドレスと抽出トラックアドレスとを比較して予測トラックアドレスの正当性を検証してもよく、これによりアドレスの精度が向上する。当該ランドに隣接するグルーブではなく、所定トラックだけ離間したグルーブのトラックアドレスを確定し、確定したグルーブから所定トラックだけジャンプすることで目的とする当該ランドのトラックアドレスを確定してもよい。所定トラック数を例えば３とした場合（当該ランドに隣接するグルーブをトラック数１として）、目的とするランドよりもトラック番号が１だけ小さいグルーブアドレスを確定し、ここから３トラック分だけ外周側にジャンプすれば当該ランドを確定できる。内周側から外周側に向けてグルーブｎ、ランドｎ、グルーブｎ＋１、ランドｎ＋１と形成されており、当該ランドがランドｎ＋１である場合、グルーブｎから３トラックだけ外周側にジャンプすればランドｎ＋１に達することになる。
【００９１】
光ディスク１０にＬトラックアドレス系のみが形成されている場合も同様である。ランドでの記録／再生時には常に同相ウォブルとなってトラックアドレスを確定できるため、グルーブでの記録／再生の際には直接、当該グルーブのトラックアドレスを検出するのではなく、常に隣接するランドのトラックアドレスを検出するようにする。例えば、記録／再生すべきグルーブがグルーブＮである場合、まずランドＮのトラックアドレスを同相ウォブルから確定する。ランドＮのトラックアドレスが確定できた場合、目的とするグルーブＮはトラックアドレスを確定したグルーブの内周側隣接グルーブであるから、たとえそのグルーブのウォブルが逆相ウォブルであっても当該グルーブのトラックアドレスを確定できる。システムコントローラ３２は、あるグルーブに対してデータの記録／再生を行う場合、当該グルーブに隣接するランドのトラックアドレスをまず確定し、そのランドを基準として目的グルーブのトラックアドレスを予測すればよい。ランドのトラックアドレスを確定した場合、そのランドの内周側グルーブのトラックアドレスは確定トラックと同一であり、外周側グルーブのトラックアドレスは確定トラックより１だけ大きい。隣接ランドの確定アドレスから目的グルーブのアドレスを予測した後に、実施形態で説明した方法で同相ウォブル及び逆相ウォブルから実際に目的グルーブのトラックアドレスを抽出し、予測トラックアドレスと抽出トラックアドレスとを比較して予測トラックアドレスの正当性を検証してもよい。当該グルーブに隣接するランドのトラックアドレスではなく、所定トラックだけ離間したランドのトラックアドレスを確定し、そこからジャンプすることで当該グルーブのトラックアドレスを確定してもよい。
【００９２】
本実施形態においては、図４に示される回路を用いてウォブル信号から変化ビット位置を検出しているが、他の方法によって変化ビット位置を検出することもできる。この方法は、グレーコードにおける変化ビット位置は、常に対応する２進数での桁上がりビット位置、すなわち「０」から「１」に桁上がりするビット位置に等しいという事実を利用するものである。
【００９３】
図２５には、２進アドレスとそのグレーコードとの関係が示されている。２進アドレス「００００００」はグレーコード「００００００」に対応し、２進アドレス「０００００１」はグレーコード「０００００１」に対応し、２進アドレス「００００１０」はグレーコード「００００１１」に対応する。２進アドレス「００００００」から次の２進アドレス「０００００１」へは、最下位ビット２００において「０」から「１」に変化する。一方、対応するグレーコードにおいても、最下位ビット３００において「０」から「１」に
変化する。変化ビット位置は最下位ビット３００であり、２進アドレスにおける最下位ビット２００に一致する。２進アドレス「０００００１」から次の２進アドレス「００００１０」へは、最下位ビットの次のビット（第１位ビット）２０２において「０」から「１」に変化する。一方、対応するグレーコードにおいても、第１位ビット３０２において「０」から「１」に変化する。変化ビット位置は第１位ビットであり、２進アドレスにおける第１位ビット２０２に一致する。２進アドレス「００００１０」から次の２進アドレス「００００１１」へは、再び最下位ビット２０４において「０」から「１」に変化する。一方、対応するグレーコードにおいても、最下位ビット３０４において「１」から「０」に変化する。変化ビット位置は最下位ビットであり、２進アドレスにおける最下位ビット２０４に対応する。２進アドレス「００００１１」から次の２進アドレス「０００１００」へは第１位ビット２０６において「０」から「１」に変化する。一方、対応するグレーコードにおいても第１位ビット３０６において「０」から「１」に変化する。２進アドレス「０００１００」から次の２進アドレス「０００１０１」へは、再び最下位ビット２０８において「０」から「１」に変化し、対応するグレーコードにおいても同じ最下位ビット３０８において「０」から「１」に変化する。
【００９４】
このように、グレーコードにおける変化ビット位置は、対応する２進アドレスにおける「０」から「１」への桁上がりビット位置に等しいため、このことを利用して２進アドレスの桁上がり位置を検出することでグレーコードの変化ビット位置を検出することができる。すなわち、図２６に示されるように、第ｎ番目のランドの２進アドレスが確定した場合、第（ｎ＋１）番目の２進アドレスを演算により算出し、第ｎ番目の２進アドレスと第（ｎ＋１）番目の２進アドレスのうちの桁上がりビット位置を検出すれば、その位置をそのまま対応するグレーコードの変化ビット位置として利用することができる。この方法によれば、図３及び図４に示された方法及び回路構成で変化ビット位置を検出する必要がなく、単に演算により変化ビット位置を検出することが可能となる。ランドトラック及びグルーブトラックに図１６に示されるようにそれぞれＧトラックアドレス系とＬトラックアドレス系が形成されている場合、ランドトラックにおいてはＬトラックアドレス系は同相ウォブルであるため容易にそのバイナリアドレスが確定される。この確定アドレスから演算により次のバイナリアドレスを求め、２つのアドレスからＧトラックアドレス系のグレーコードにおける変化ビット位置を演算により求めるのである。
【００９５】
第ｎ番目の２進アドレスから第（ｎ＋１）番目の２進アドレスは、単に１を加算することで得ることができ、第ｎ番目の２進アドレスと第（ｎ＋１）番目の２進アドレスにおける桁上がり位置は、インバータとＡＮＤゲートからなる論理回路で構成することができる。
【００９６】
図２７には、２進アドレスにおける桁上がりビット位置の検出回路が示されている。この回路は、第ｎ番目の２進アドレスの第ｋ位のビットと、第（ｎ＋１）番目の２進アドレスの第ｋ位のビットを入力とする。２進アドレスが８ビットである場合、この論理回路が各ビット位置に対応して８個並列して設けられる。
【００９７】
アドレスデコード回路２８でデコードされ確定された第ｎ番目の２進アドレスの第ｋ位のビットはインバータ１５０で反転されてＡＮＤゲート１６０に供給される。一方、演算により得られた第（ｎ＋１）番目の２進アドレスの第ｋ位のビットはそのままＡＮＤゲート１５０に供給される。ＡＮＤゲート１６０では、両者の論理積を演算して出力する。第ｎ番目の２進アドレスの第ｋ位ビットが「０」で、第ｎ＋１番目の２進アドレスの第ｋ位ビットが「１」である場合のみ、ＡＮＤゲート１６０から「１」（あるいはＨｉ）が出力されることになるから、８個並列して設けられた論理回路の８出力のうち「１」となった出力位置がグレーコードにおける変化ビット位置として検出される。
【００９８】
以上のようにして検出された変化ビット位置は図１２に示されたグレーコード逆変換器２８ｅに検出信号として出力され、変化ビット位置においてＳＷが自動的に切り替えられる。これにより、逆相となるランドトラックにおいて、そのグレーコードが不確定であってもランドの２進アドレスを得ることができる。
【００９９】
ランドアドレス抽出の流れをまとめると以下のようになる。
（１）Ｌトラックアドレス系（ランド専用のアドレス系）からランドアドレスｎの確定（アドレスの復調）
（２）アドレスｎから次のアドレスｎ＋１の演算
（３）アドレスｎとアドレスｎ＋１における桁上がり位置の検出
（４）上記の（３）における桁上がり位置をグレーコードにおける変化ビット位置とみなす
（５）上記の（４）において得られた変化ビット位置においてバイナリデータを「０」としてＧトラックアドレス系からランドアドレスを抽出
【０１００】
一方、グルーブのアドレスを得る場合、第ｎ番目のグルーブの２進アドレスがＧトラックアドレス系において確定（アドレスの復調）した場合、１つ前の第（ｎ−１）番目の２進アドレスを演算により算出し、第ｎ番目の２進アドレスと第（ｎ−１）番目の２進アドレスのうちの桁上がりビット位置を検出すれば、その位置をそのまま対応するグレーコードの変化ビット位置として利用することができる。（ｎ−１）番目の２進アドレスを演算するのは、着目するグルーブに隣接する連続トラック番号は内周側の１つ小さいトラック番号だからである。
【０１０１】
第ｎ番目の２進アドレスから第（ｎ−１）番目の２進アドレスは、単に１を減算することで得ることができ、第ｎ番目の２進アドレスと第（ｎ−１）番目の２進アドレスにおける桁上がり位置は、ランドの場合と同様にインバータとＡＮＤゲートからなる論理回路で構成することができる。但し、図２７において、第ｎ番目の２進アドレスの第ｋ位のビットと、第（ｎ−１）番目の２進アドレスの第ｋ位のビットを入力とする。２進アドレスが８ビットである場合、この論理回路が各ビット位置に対応して８個並列して設けられる。
アドレスデコード回路２８でデコードされ確定された第ｎ番目の２進アドレスの第ｋ位のビットはＡＮＤゲート１６０に供給される。一方、演算により得られた第（ｎ−１）番目の２進アドレスの第ｋ位のビットはインバータ１５０で反転された後にＡＮＤゲート１６０に供給される。ＡＮＤゲート１６０では、両者の論理積を演算して出力する。第（ｎ−１）番目の２進アドレスの第ｋ位ビットが「０」で、第ｎ番目の２進アドレスの第ｋ位ビットが「１」である場合のみ、ＡＮＤゲート１６０から「１」（あるいはＨｉ）が出力されることになるから、８個並列して設けられた論理回路の８出力のうち「１」となった出力位置がグレーコードにおける変化ビット位置として検出される。
【０１０２】
グルーブアドレス抽出の流れをまとめると以下のようになる。
（１）Ｇトラックアドレス系（グルーブ専用のアドレス系）からグルーブアドレスｎの確定
（２）アドレスｎから１つ前のアドレスｎ−１の演算
（３）アドレスｎ−１とアドレスｎにおける桁上がり位置の検出
（４）上記の（３）における桁上がり位置をグレーコードにおける変化ビット位置とみなす
（５）上記の（４）において得られた変化ビット位置においてバイナリデータを「１」としてＬトラックアドレス系からグルーブアドレスを抽出
【０１０３】
このように、光ディスク１０のランドトラック及びグルーブトラックのそれぞれにＧトラックアドレス系とＬトラックアドレス系が形成されている場合、ランドトラックに関してはＬトラックアドレス系のアドレス情報から演算によりＧトラックアドレス系の変化ビット位置を検出してアドレス情報を抽出でき、グルーブトラックに関してはＧトラックアドレス系のアドレス情報から演算によりＬトラックアドレス系の変化ビット位置を検出してアドレス情報を抽出できる。
【０１０４】
なお、この実施形態においては、ウォブル信号を処理することにより変化ビット位置を検出する必要がなくなるが、演算により変化ビット位置を算出し、さらに図３に示された方法と図４に示された回路構成により検出された変化ビット位置とを照合してもよい。これにより、図３及び図４の構成により検出された変化ビット位置の検証を行うこともできる。また、この実施形態において、ランドトラックにおいてＬトラックアドレス系から検出したアドレスとＧトラックアドレス系から演算により抽出したアドレスを互いに比較することで演算により抽出されたＧトラックアドレス系を検証することができる。グルーブアドレスについても同様である。
【０１０５】
また、グレーコード逆変換器２８ｅの構成についても、図１２に示される構成の他、図２８に示されるような構成とすることができる。図２８においては、複数のＥＸ−ＯＲゲートの後段にスイッチＳＷが設けられる。なお、最上位ビットについては既述したようにグレーコードがそのまま２進アドレスとして出力されるためＥＸ−ＯＲゲートは存在せず、ＳＷのみが存在することになる（グレーコードをそのまま通過させるゲートの後段にＳＷが設けられると云うことができる）。各スイッチＳＷの接点ｕ、ｄのうち、接点ｕ側は「０」あるいは「１」に設定される。具体的には、内周側のトラックアドレスに合わせる場合には「０」、外周側のトラックアドレスに合わせる場合には「１」に設定される。一例として、内周側のグルーブＮに隣接する外周側ランドＮのアドレスを確定する場合、接点ｕ側は「０」に設定される。各スイッチＳＷの接点ｄ側はＥＸ−ＯＲゲートの出力に接続され、各スイッチＳＷの出力側は２進アドレスの各ビットとなる。図４あるいは図２７に示された変化ビット位置検出回路からの検出信号は各ＳＷに供給され、変化ビット位置においてＳＷを接点ｄ側から接点ｕ側に切り替える。変化ビット位置以外では接点はｄ側に維持される。図２８において、第６位のビットが変化ビット位置として検出された場合が示されている。第６位のビットではＳＷ６が接点ｕ側に切り替えられ、２進アドレスの第６位ビット出力は常に「０」となる。一方、他のビットは、通常の逆変換器の原理に従い、一つ上のビットとの排他的論理和が演算されて出力される。外周側のランドＮに隣接する内周側グルーブＮのアドレスを確定する場合、接点ｕ側は「１」に設定される。このとき、ＳＷ６の出力は常に「１」となって２進アドレスの対応ビットは常に「１」となる。これにより、グレーコードが不確定であっても外周側のアドレスに一致したアドレスが得られる。
【０１０６】
さらに、本実施形態では、光ディスク１０に内周側から外周側に向けてグルーブｎ、ランドｎ、グルーブｎ＋１、ランドｎ＋１・・と順次形成されている場合について説明したが、光ディスク１０に内周側から外周側に向けてランドｎ、グルーブｎ、ランドｎ＋１、グルーブｎ＋１・・と順次形成されている場合にも同様に適用することができる。
【０１０７】
この場合、ランドトラックにおいては、Ｌトラックアドレス系からバイナリアドレスを確定し、その１つ前のバイナリアドレスを演算し、演算して得られた（ｎ−１）番目のバイナリアドレスと確定したｎ番目のバイナリアドレスとからＧトラックアドレス系における変化ビット位置を検出する。すなわち、（ｎ−１）番目のバイナリアドレスの各ビットをインバータ１５０に供給し、ｎ番目のバイナリアドレスの各ビットをＡＮＤゲート１６０にそのまま供給してＡＮＤゲート１６０の出力が１となるビット位置を検出する。また、グルーブトラックにおいては、Ｇトラックアドレス系からバイナリアドレスを確定し、次のバイナリアドレスを演算し、確定したｎ番目のアドレスと演算して得られた（ｎ＋１）番目のバイナリアドレスとからＬトラックアドレス系における変化ビット位置を検出すればよい。ｎ番目のバイナリアドレスの各ビットをインバータ１５０に供給し、演算して得られた（ｎ＋１）番目のバイナリアドレスの各ビットをＡＮＤゲート１６０にそのまま供給してＡＮＤゲート２９ｂの出力が１となるビット位置を検出する。
【図面の簡単な説明】
【０１０８】
【図１】実施形態の全体構成図である。
【図２】実施形態におけるＧトラックアドレス系の説明図である。
【図３】ウォブル信号のタイミングチャートである。
【図４】変化ビット検出回路の構成図である。
【図５】図４に示された回路各部のタイミングチャートである。
【図６】実施形態のグレーコード逆変換器の構成図である。
【図７】従来のグレーコード逆変換器の構成図である。
【図８】実施形態の処理フローチャートである。
【図９】実施形態の１つのＧトラックアドレス系を示す説明図である。
【図１０】図９に対応するグレーコード逆変換器の動作説明図である。
【図１１】実施形態の他のＧトラックアドレス系を示す説明図である。
【図１２】図１１に対応するグレーコード逆変換器の動作説明図である。
【図１３】光ディスクのアドレスフォーマット説明図である。
【図１４】ランドのグレーコードから２進アドレスへの逆変換説明図である。
【図１５】ランドのグレーコードから２進アドレスへの逆変換説明図である。
【図１６】光ディスクの他のアドレスフォーマット説明図である。
【図１７】実施形態の他の処理フローチャートである。
【図１８】グルーブのグレーコードから２進アドレスへの逆変換説明図である。
【図１９】グルーブのグレーコードから２進アドレスへの逆変換説明図である。
【図２０】実施形態のさらに他の処理フローチャートである。
【図２１】従来のアドレスフォーマット説明図である。
【図２２】グルーブ及びランドのウォブル説明図である。
【図２３】グレーコード変換器の説明図である。
【図２４】アドレス値とグレーコードとの対応関係を示す説明図である。
【図２５】アドレス値とグレーコードとの対応関係を示す他の説明図である。
【図２６】２進アドレスの桁上がり位置とグレーコードの変化ビット位置の関係を示す説明図である。
【図２７】他の変化ビット位置（桁上がり位置）検出回路図である。
【図２８】他のグレーコード逆変換器の構成図である。
【符号の説明】
【０１０９】
１０  光ディスク、１６  光ピックアップ、２８  アドレスデコード回路、３２  システムコントローラ。
【図１】
2005038565.tif 000003
【図２】
2005038565.tif 000004
【図３】
2005038565.tif 000005
【図４】
2005038565.tif 000006
【図５】
2005038565.tif 000007
【図６】
2005038565.tif 000008
【図７】
2005038565.tif 000009
【図８】
2005038565.tif 000010
【図９】
2005038565.tif 000011
【図１０】
2005038565.tif 000012
【図１１】
2005038565.tif 000013
【図１２】
2005038565.tif 000014
【図１３】
2005038565.tif 000015
【図１４】
2005038565.tif 000016
【図１５】
2005038565.tif 000017
【図１６】
2005038565.tif 000018
【図１７】
2005038565.tif 000019
【図１８】
2005038565.tif 000020
【図１９】
2005038565.tif 000021
【図２０】
2005038565.tif 000022
【図２１】
2005038565.tif 000023
【図２２】
2005038565.tif 000024
【図２３】
2005038565.tif 000025
【図２４】
2005038565.tif 000026
【図２５】
2005038565.tif 000027
【図２６】
2005038565.tif 000028
【図２７】
2005038565.tif 000029
【図２８】
2005038565.tif 000030
【手続補正書】
【提出日】平成15年9月30日(2003.9.30)
【手続補正１】
【補正対象書類名】図面
【補正対象項目名】図１
【補正方法】変更
【補正の内容】
【図１】
2005038565.tif 000031
【手続補正書】
【提出日】平成15年10月7日(2003.10.7)
【手続補正１】
【補正対象書類名】特許請求の範囲
【補正対象項目名】請求項１４
【補正方法】変更
【補正の内容】
【請求項１４】
請求項１２記載の装置において、
前記逆変換手段は、
前記グレーコードの最上位ビットをそのまま出力するとともに、前記グレーコードの最上位ビットより下位のビットについては、そのビットと、１つ上位のバイナリデータのビットとの排他的論理和を出力するゲート回路と、
前記ゲート回路への入力信号を切り替えるスイッチ手段と、
を有し、前記スイッチ手段は、前記同相ウォブルに対応するビットでは前記グレーコードのビットが前記ゲート回路に入力するように切り替わり、前記逆相ウォブルに対応するビットでは前記グレーコードのビットを遮断し前記１つ上位のバイナリデータのビットとその反転値がともに前記ゲート回路に入力するように切り替わる
ことを特徴とする光ディスク装置。
【手続補正２】
【補正対象書類名】特許請求の範囲
【補正対象項目名】請求項１５
【補正方法】変更
【補正の内容】
【請求項１５】
請求項１２記載の装置において、さらに、
前記逆変換手段から出力されたバイナリデータのうち、前記逆相ウォブルに対応するビットより下位のビットが全て０であるか否かを検出する手段
を有することを特徴とする光ディスク装置。